(57)【要約】本開示の様々な態様は一般に、ワイヤレス通信に関する。いくつかの態様では、ユーザ機器（ＵＥ）が、物理制御フォーマットインジケータチャネル（ＰＣＦＩＣＨ）を介して搬送されないメッセージ中で第１の制御フォーマットインジケータ（ＣＦＩ）値を受信し、ＵＥが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定し得、ＵＥが、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作し得る。多数の他の態様が提供される。【選択図】  図６
2021520717.tif 000002
【特許請求の範囲】
【請求項１】
ユーザ機器（ＵＥ）によって行われるワイヤレス通信の方法であって、
無線リソース制御（ＲＲＣ）メッセージまたはシステム情報ブロック（ＳＩＢ）中で制御フォーマットインジケータ（ＣＦＩ）値を受信することと、
前記ＵＥが動作している構成にかかわらず、前記ＲＲＣメッセージまたは前記ＳＩＢ中で受信された前記ＣＦＩ値を使用することと
を備える方法。
【請求項２】
前記ＵＥは、超高信頼低レイテンシ通信（ＵＲＬＬＣ）構成または短縮送信時間インターバル（ｓＴＴＩ）構成で構成されていることに少なくとも部分的に基づいて、前記ＲＲＣメッセージまたは前記ＳＩＢ中で前記ＣＦＩ値を受信する、請求項１に記載の方法。
【請求項３】
物理制御フォーマットインジケータチャネル（ＰＣＦＩＣＨ）は、前記ＲＲＣメッセージまたは前記ＳＩＢ中で前記ＣＦＩ値を受信することに少なくとも部分的に基づいて、復号されない、請求項１に記載の方法。
【請求項４】
前記ＲＲＣメッセージまたは前記ＳＩＢ中で受信された前記ＣＦＩ値は、
超高信頼低レイテンシ通信（ＵＲＬＬＣ）構成、
拡張モバイルブロードバンド（ｅＭＢＢ）構成、
レガシ送信時間インターバル（ＴＴＩ）構成、
１ミリ秒ＴＴＩ構成、
短縮ＴＴＩ（ｓＴＴＩ）構成、
しきい値を満たすレイテンシ要件を有する構成、
しきい値を満たす信頼性要件を有する構成、
キャリアアグリゲーション構成、
デュアル接続性構成、または
これらの何らかの組合せ
のうちの少なくとも１つに使用される、請求項１に記載の方法。
【請求項５】
ユーザ機器（ＵＥ）によって行われるワイヤレス通信の方法であって、
物理制御フォーマットインジケータチャネル（ＰＣＦＩＣＨ）を介して搬送されないメッセージ中で第１の制御フォーマットインジケータ（ＣＦＩ）値を受信することと、
前記ＵＥが、前記第１のＣＦＩ値が使用されることとなる第１の構成を使用して動作しているか、前記ＰＣＦＩＣＨ中で示される第２のＣＦＩ値が使用されることとなる第２の構成を使用して動作しているか、両方を使用して動作しているかを決定することと
前記ＵＥが、前記第１の構成を使用して動作しているか、前記第２の構成を使用して動作しているか、両方を使用して動作しているかを決定することに少なくとも部分的に基づいて、前記第１のＣＦＩ値または前記第２のＣＦＩ値のうちの少なくとも１つを使用して動作することと
を備える方法。
【請求項６】
前記ＵＥが前記第１の構成を使用して動作しているときに前記第１のＣＦＩ値が使用される、または前記ＵＥが前記第２の構成を使用して動作しているときに前記第２のＣＦＩ値が使用される、請求項５に記載の方法。
【請求項７】
前記第１の構成は、
超高信頼低レイテンシ通信（ＵＲＬＬＣ）構成、
短縮ＴＴＩ（ｓＴＴＩ）構成、
しきい値以下のレイテンシ要件を有する構成、
しきい値以上の信頼性要件を有する構成、または
これらの何らかの組合せ
のうちの少なくとも１つを含む、請求項５に記載の方法。
【請求項８】
前記第２の構成は、
拡張モバイルブロードバンド（ｅＭＢＢ）構成、
レガシ送信時間インターバル（ＴＴＩ）構成、
しきい値以上のレイテンシ要件を有する構成、
しきい値以下の信頼性要件を有する構成、または
これらの何らかの組合せ
のうちの少なくとも１つを含む、請求項５に記載の方法。
【請求項９】
前記ＰＣＦＩＣＨは、前記ＵＥが前記第２の構成でなく前記第１の構成を使用して動作していると決定することに少なくとも部分的に基づいて、復号されない、請求項５に記載の方法。
【請求項１０】
前記ＰＣＦＩＣＨは、前記ＵＥが、
前記第１の構成を使用せずに前記第２の構成を使用して、または
前記第１の構成および前記第２の構成の両方を使用して
動作していると決定することに少なくとも部分的に基づいて、復号される、請求項５に記載の方法。
【請求項１１】
前記第１のＣＦＩ値は、前記第１の構成を使用して通信するために使用され、前記第２のＣＦＩ値は、前記第２の構成を使用して通信するために使用される、請求項５に記載の方法。
【請求項１２】
前記第２のＣＦＩ値は、前記第１のＣＦＩ値以下であることが必要とされる、請求項５に記載の方法。
【請求項１３】
前記ＵＥは、前記第２のＣＦＩ値が前記第１のＣＦＩ値より大きい場合、エラーを示すように構成される、請求項１２に記載の方法。
【請求項１４】
前記第１のＣＦＩ値は、前記メッセージ中で示される複数のＣＦＩ値から選択される、請求項５に記載の方法。
【請求項１５】
前記選択は、前記第１のＣＦＩ値が適用されることとなるサブフレームにおいて前記ＵＥが動作しているという決定に少なくとも部分的に基づく、請求項１４に記載の方法。
【請求項１６】
前記サブフレームは、前記第１のＣＦＩ値が適用されることとなる、前記メッセージ中で示されるサブフレームのセットに含まれる、請求項１５に記載の方法。
【請求項１７】
前記第１の構成は、前記ＵＥの全てのコンポーネントキャリアが、前記メッセージ中で示される１つまたは複数のＣＦＩ値を使用して構成される構成である、請求項５に記載の方法。
【請求項１８】
前記コンポーネントキャリアの全てが、前記メッセージ中で示される同じＣＦＩ値を使用して構成される、請求項１７に記載の方法。
【請求項１９】
前記コンポーネントキャリアのうちの異なるものが、前記メッセージ中で示される異なるＣＦＩ値を使用して構成される、請求項１７に記載の方法。
【請求項２０】
前記第２の構成は、前記ＵＥのコンポーネントキャリアが、前記メッセージ中で示されるＣＦＩ値を使用して構成されない構成である、請求項５に記載の方法。
【請求項２１】
前記第２の構成は、前記ＵＥの全てのコンポーネントキャリアが、前記ＰＣＦＩＣＨ中で示される１つまたは複数のＣＦＩ値を使用して構成される構成である、請求項５に記載の方法。
【請求項２２】
前記ＵＥのコンポーネントキャリアの第１のセットは、前記第１の構成を使用して動作し、前記ＵＥのコンポーネントキャリアの第２のセットは、前記第２の構成を使用して動作する、請求項５に記載の方法。
【請求項２３】
コンポーネントキャリアの前記第１のセットは、前記第１のＣＦＩ値を使用し、コンポーネントキャリアの前記第２のセットは、前記第２のＣＦＩ値を使用する、請求項２２に記載の方法。
【請求項２４】
コンポーネントキャリアの前記第１のセットは、前記メッセージ中で示されるＣＦＩ値の第１のセットを使用する、請求項２２に記載の方法。
【請求項２５】
コンポーネントキャリアの前記第２のセットは、前記ＰＣＦＩＣＨ中で示されるＣＦＩ値の第２のセットを使用する、請求項２４に記載の方法。
【請求項２６】
前記第１のＣＦＩ値は、前記ＵＥの第１のコンポーネントキャリアに使用され、前記メッセージ中で示される１つまたは複数の他のＣＦＩ値は、前記ＵＥの対応する１つまたは複数の他のコンポーネントキャリアに使用される、請求項５に記載の方法。
【請求項２７】
セカンダリセルが前記第２の構成を使用して動作しているときに、前記ＵＥが、前記セカンダリセルについて前記メッセージ中のＣＦＩ値で構成される場合、前記ＵＥは、前記セカンダリセルが前記第１の構成を使用して動作しているときに、前記セカンダリセルについて前記メッセージ中のＣＦＩで構成されることが必要とされる、請求項５に記載の方法。
【請求項２８】
前記メッセージは、無線リソース制御（ＲＲＣ）メッセージ、またはシステム情報ブロック（ＳＩＢ）において搬送されるシステム情報メッセージである、請求項５に記載の方法。
【請求項２９】
ユーザ機器（ＵＥ）によって行れるワイヤレス通信の方法であって、
第１の制御フォーマットインジケータ（ＣＦＩ）値が適用されることとなるサブフレームの第１のセットのインジケーションをメッセージ中で受信することと、
第２のＣＦＩ値が適用されることとなるサブフレームの第２のセットのインジケーションを前記メッセージ中で受信することと、
前記サブフレームが、サブフレームの前記第１のセットに含まれるかサブフレームの前記第２のセットに含まれるかに少なくとも部分的に基づいて、サブフレームに対して前記第１のＣＦＩ値または前記第２のＣＦＩ値を選択的に使用することと
を備える方法。
【請求項３０】
サブフレームの前記第１のセットは、第１のタイプのサブフレームを含み、サブフレームの前記第２のセットは、第２のタイプのサブフレームを含む、請求項２９に記載の方法。
【請求項３１】
前記第１のタイプまたは前記第２のタイプのうちの少なくとも１つは、前記メッセージ中で示される、請求項３０に記載の方法。
【請求項３２】
前記第１のタイプは、マルチキャストブロードキャスト単一周波数ネットワーク（ＭＢＳＦＮ）サブフレームタイプであり、前記第２のタイプが非ＭＢＳＦＮサブフレームタイプである、請求項３０に記載の方法。
【請求項３３】
前記第１のＣＦＩ値または前記第２のＣＦＩ値のうちの少なくとも１つは、前記メッセージ中で示される、請求項２９に記載の方法。
【請求項３４】
前記第１のＣＦＩ値または前記第２のＣＦＩ値のうちの少なくとも１つは、前記メッセージ中で示されない、請求項２９に記載の方法。
【請求項３５】
前記第１のＣＦＩ値または前記第２のＣＦＩ値のうちの少なくとも１つは、前記ＵＥのメモリにおいてハードコーディングされる、請求項２９に記載の方法。
【請求項３６】
サブフレームの前記第１のセットまたはサブフレームの前記第２のセットのうちの少なくとも１つは、ビットマップを使用して示される、請求項２９に記載の方法。
【請求項３７】
前記メッセージは、
サブフレームの前記第１のセットにマッピングするＣＦＩ値の第１のセット、
サブフレームの前記第２のセットにマッピングするＣＦＩ値の第２のセット、または
これらの何らかの組合せ
のうちの少なくとも１つを示す、請求項２９に記載の方法。
【請求項３８】
前記メッセージは、
前記第１のＣＦＩ値および前記第２のＣＦＩ値を示す情報エレメントと、
サブフレームの前記第１のセットに含まれる各サブフレームに前記第１のＣＦＩ値または前記第２のＣＦＩ値をマッピングする第１のビットマップと、
サブフレームの前記第２のセットに含まれる各サブフレームに前記第１のＣＦＩ値または前記第２のＣＦＩ値をマッピングする第２のビットマップと
を含む、請求項２９に記載の方法。
【請求項３９】
前記メッセージは、無線リソース制御（ＲＲＣ）メッセージまたはシステム情報ブロック（ＳＩＢ）メッセージである、請求項２９に記載の方法。
【請求項４０】
前記メッセージ中で受信されたＣＦＩ値が使用されることとなる構成を使用して前記ＵＥが動作しているという決定に少なくとも部分的に基づいて、前記第１のＣＦＩ値または前記第２のＣＦＩ値が前記サブフレームに使用される、請求項２９に記載の方法。
【請求項４１】
物理制御フォーマットインジケータチャネル（ＰＣＦＩＣＨ）中で受信されたＣＦＩ値が使用されることとなる構成を使用して前記ＵＥが動作していないという決定に少なくとも部分的に基づいて、前記第１のＣＦＩ値または前記第２のＣＦＩ値が前記サブフレームに使用される、請求項２９に記載の方法。
【請求項４２】
サブフレームの前記第１のセットおよびサブフレームの前記第２のセットは、前記ＵＥの全てのコンポーネントキャリアに適用される、請求項２９に記載の方法。
【請求項４３】
サブフレームの前記第１のセットおよびサブフレームの前記第２のセットは、前記ＵＥの第１のコンポーネントキャリアに適用される、請求項２９に記載の方法。
【請求項４４】
異なるサブフレームセットは、前記ＵＥの１つまたは複数の他のコンポーネントキャリアに適用される、請求項４３に記載の方法。
【請求項４５】
ワイヤレス通信のためのユーザ機器（ＵＥ）であって、
メモリと、
前記メモリに動作可能に結合された１つまたは複数のプロセッサと
を備え、前記メモリおよび前記１つまたは複数のプロセッサは、
無線リソース制御（ＲＲＣ）メッセージまたはシステム情報ブロック（ＳＩＢ）中で制御フォーマットインジケータ（ＣＦＩ）値を受信することと、
前記ＵＥが動作している構成にかかわらず、前記ＲＲＣメッセージまたは前記ＳＩＢ中で受信された前記ＣＦＩ値を使用することと
を行うように構成される、ＵＥ。
【発明の詳細な説明】
【米国特許法第１１９条に基づく関連出願への相互参照】
【０００１】
[0001]  本出願は、２０１８年４月５日に出願された「TECHNIQUES AND APPARATUSES FOR RELIABLE INDICATION OF A CONTROL FORMAT INDICATOR VALUE」と題する米国仮特許出願第６２／６５３，１２４号および２０１９年３月２９日に出願された「RELIABLE INDICATION OF A CONTROL FORMAT INDICATOR VALUE」と題する米国非仮特許出願第１６／３７０，６７２号に対する優先権を主張し、これらは、参照により本明細書に明示的に組み込まれる。
【技術分野】
【０００２】
[0002]  本開示の態様は一般に、ワイヤレス通信に関し、より具体的には、制御フォーマットインジケータ（ＣＦＩ）値の信頼できるインジケーションのための技法および装置に関する。
【背景技術】
【０００３】
[0003]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、伝送電力、および／または同様のもの）を共有することによって複数のユーザとの通信をサポートすることが可能な多元接続技術を用い得る。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））が含まれる。ＬＴＥ／ＬＴＥアドバンストは、第３世代パートナーシッププロジェクト（３ＧＰＰ（登録商標））によって公表されたユニバーサルモバイル電気通信システム（ＵＭＴＳ）モバイル規格に対する拡張のセットである。
【０００４】
[0004]  ワイヤレス通信ネットワークは、いくつかのユーザ機器（ＵＥ：user equipment）のために通信をサポートできるいくつかの基地局（ＢＳ：base station）を含み得る。ユーザ機器（ＵＥ）は、ダウンリンクおよびアップリンクを介して基地局（ＢＳ）と通信し得る。ダウンリンク（すなわち、順方向リンク）は、ＢＳからＵＥへの通信リンクを指し、アップリンク（すなわち、逆方向リンク）は、ＵＥからＢＳへの通信リンクを指す。本明細書でより詳細に説明されるように、ＢＳは、ノードＢ、ｇＮＢ、アクセスポイント（ＡＰ）、無線ヘッド、送受信ポイント（ＴＲＰ：transmit receive point）、新無線（ＮＲ：New Radio）ＢＳ、５ＧノードＢ、および／または同様の用語で呼ばれ得る。
【０００５】
[0005]  上の多元接続技術は、異なるユーザ機器が、都市、国家、地域、さらには地球規模で通信することを可能にする共通プロトコルを提供するために、様々な電気通信規格に採用されている。５Ｇとも呼ばれ得る新無線（ＮＲ）は、第３世代パートナーシッププロジェクト（３ＧＰＰ）によって公表されたＬＴＥモバイル規格に対する拡張のセットである。ＮＲは、スペクトル効率を改善することと、コストを下げることと、サービスを改善することと、新たなスペクトルを利用することと、ビームフォーミング、多入力多出力（ＭＩＭＯ）アンテナ技術、およびキャリアアグリゲーションをサポートするだけでなく、ダウンリンク（ＤＬ：downlink）上でサイクリックプレフィックス（ＣＰ：cyclic prefix）を有する直交周波数分割多重（ＯＦＤＭ）（ＣＰ−ＯＦＤＭ）を使用し、アップリンク（ＵＬ）上でＣＰ−ＯＦＤＭおよび／またはＳＣ−ＦＤＭ（例えば、離散フーリエ変換拡散ＯＦＤＭ（ＤＦＴ−ｓ−ＯＦＤＭ）としても知られている）を使用して他のオープン規格とより良く統合することによって、モバイルブロードバンドインターネットアクセスをより快適にサポートするように設計されている。しかしながら、モバイルブロードバンドアクセスに対する需要が増大し続けるに伴い、ＬＴＥおよびＮＲ技術におけるさらなる改善の必要がある。好ましくは、これら改善は、他の多元接続技術およびこれら技術を用いる電気通信規格に適用可能であるべきである。
【発明の概要】
【０００６】
[0006]  いくつかの態様では、ユーザ機器（ＵＥ）によって行われるワイヤレス通信の方法が、無線リソース制御（ＲＲＣ：radio resource control）メッセージまたはシステム情報ブロック（ＳＩＢ：system information block）中で制御フォーマットインジケータ（ＣＦＩ：control format indicator）値を受信することと、ＵＥが動作している構成にかかわらず、ＲＲＣメッセージまたはＳＩＢ中で受信されたＣＦＩ値を使用することとを含み得る。
【０００７】
[0007]  いくつかの態様では、ワイヤレス通信のためのユーザ機器が、メモリと、このメモリに動作可能に結合された１つまたは複数のプロセッサとを含み得る。メモリおよび１つまたは複数のプロセッサは、ＲＲＣメッセージまたはＳＩＢ中でＣＦＩ値を受信することと、ＵＥが動作している構成にかかわらず、ＲＲＣメッセージまたはＳＩＢ中で受信されたＣＦＩ値を使用することとを行うように構成され得る。
【０００８】
[0008]  いくつかの態様では、非一時的コンピュータ読取可能な媒体が、ワイヤレス通信のための１つまたは複数の命令を記憶し得る。１つまたは複数の命令は、ユーザ機器の１つまたは複数のプロセッサによって実行されると、ＲＲＣメッセージまたはＳＩＢ中でＣＦＩ値を受信することと、ＵＥが動作している構成にかかわらず、ＲＲＣメッセージまたはＳＩＢ中で受信されたＣＦＩ値を使用することとを１つまたは複数のプロセッサに行わせ得る。
【０００９】
[0009]  いくつかの態様では、ワイヤレス通信のための装置が、ＲＲＣメッセージまたはＳＩＢ中でＣＦＩ値を受信するための手段と、装置が動作している構成にかかわらず、ＲＲＣメッセージまたはＳＩＢ中で受信されたＣＦＩ値を使用するための手段とを含み得る。
【００１０】
[0010]  いくつかの態様では、ＵＥによって行われるワイヤレス通信の方法が、物理制御フォーマットインジケータチャネル（ＰＣＦＩＣＨ：physical control format indicator channel）を介して搬送されないメッセージ中で第１のＣＦＩ値を受信することと、ＵＥが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定することと、ＵＥが、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作することとを含み得る。
【００１１】
[0011]  いくつかの態様では、ワイヤレス通信のためのユーザ機器が、メモリと、このメモリに動作可能に結合された１つまたは複数のプロセッサとを含み得る。メモリおよび１つまたは複数のプロセッサは、ＰＣＦＩＣＨを介して搬送されないメッセージ中で第１のＣＦＩ値を受信することと、ＵＥが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定することと、ＵＥが、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作することとを行うように構成され得る。
【００１２】
[0012]  いくつかの態様では、非一時的コンピュータ読取可能な媒体が、ワイヤレス通信のための１つまたは複数の命令を記憶し得る。１つまたは複数の命令は、ユーザ機器の１つまたは複数のプロセッサによって実行されると、ＰＣＦＩＣＨを介して搬送されないメッセージ中で第１のＣＦＩ値を受信することと、ＵＥが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定することと、ＵＥが、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作することとを１つまたは複数のプロセッサに行わせ得る。
【００１３】
[0013]  いくつかの態様では、ワイヤレス通信のための装置が、ＰＣＦＩＣＨを介して搬送されないメッセージ中で第１のＣＦＩ値を受信するための手段と、装置が、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定するための手段と、装置が、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作するための手段とを含み得る。
【００１４】
[0014]  いくつかの態様では、ＵＥによって行われるワイヤレス通信の方法が、第１のＣＦＩ値が適用されることとなるサブフレームの第１のセットのインジケーションをメッセージ中で受信することと、第２のＣＦＩ値が適用されることとなるサブフレームの第２のセットのインジケーションをメッセージ中で受信することと、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用することとを含み得る。
【００１５】
[0015]  いくつかの態様では、ワイヤレス通信のためのユーザ機器が、メモリと、このメモリに動作可能に結合された１つまたは複数のプロセッサとを含み得る。メモリおよび１つまたは複数のプロセッサは、第１のＣＦＩ値が適用されることとなるサブフレームの第１のセットのインジケーションをメッセージ中で受信することと、第２のＣＦＩ値が適用されることとなるサブフレームの第２のセットのインジケーションをメッセージ中で受信することと、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用することとを行うように構成され得る。
【００１６】
[0016]  いくつかの態様では、非一時的コンピュータ読取可能な媒体が、ワイヤレス通信のための１つまたは複数の命令を記憶し得る。１つまたは複数の命令は、ユーザ機器の１つまたは複数のプロセッサによって実行されると、第１のＣＦＩ値が適用されることとなるサブフレームの第１のセットのインジケーションをメッセージ中で受信することと、第２のＣＦＩ値が適用されることとなるサブフレームの第２のセットのインジケーションをメッセージ中で受信することと、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用することとを１つまたは複数のプロセッサに行わせ得る。
【００１７】
[0017]  いくつかの態様では、ワイヤレス通信のための装置が、第１のＣＦＩ値が適用されることとなるサブフレームの第１のセットのインジケーションをメッセージ中で受信するための手段と、第２のＣＦＩ値が適用されることとなるサブフレームの第２のセットのインジケーションをメッセージ中で受信するための手段と、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用するための手段とを含み得る。
【００１８】
[0018]  態様は一般に、添付の図面および明細書によって例示され、それを参照して本明細書で実質的に説明されるように、方法、装置、システム、コンピュータプログラム製品、非一時的コンピュータ読取可能な媒体、ユーザ機器、基地局、ワイヤレス通信デバイス、および処理システムを含む。
【００１９】
[0019]  前述の記載は、以下の詳細な説明がより良く理解され得るために、本開示に従った例の特徴および技術的利点を、幾分広く概説したものである。追加の特徴および利点が以下に説明される。開示される概念および特定の例は、本開示と同じ目的を果たすために他の構造を設計または修正することの基礎として容易に利用され得る。そのような同等の構造は、添付の特許請求の範囲から逸脱しない。本明細書で開示される概念の特性は、それらの編成（organization）および動作方法の両方とも、関連した利点とともに、添付の図に関して考慮されると、下の説明からより良く理解されるであろう。図の各々は、特許請求の範囲の範囲（limits）の定義としてでなく、例示および説明の目的で提供される。
【００２０】
[0020]  本開示の上述の特徴が詳細に理解され得るように、上で簡潔に要約された内容が、態様を参照してより具体的に説明され得、そのうちのいくつかは、添付の図面において例示されている。しかしながら、添付の図面は、本開示の特定の典型的な態様を例示しているにすぎず、この説明が他の同等に効果的な態様を認め得るため、その範囲を限定するものとみなされるべきでないことに留意されたい。異なる図面における同じ参照番号は、同じまたは同様の要素を識別し得る。
【図面の簡単な説明】
【００２１】
【図１】本開示の様々な態様による、ワイヤレス通信ネットワークの例を概念的に例示するブロック図である。
【図２】本開示の様々な態様による、ワイヤレス通信ネットワークにおいてユーザ機器（ＵＥ）と通信している基地局の例を概念的に例示するブロック図である。
【図３Ａ】本開示の様々な態様による、ワイヤレス通信ネットワークにおけるフレーム構造の例を概念的に例示するブロック図である。
【図３Ｂ】本開示の様々な態様による、ワイヤレス通信ネットワークにおける例となる同期通信階層を概念的に例示するブロック図である。
【図４】本開示の様々な態様による、ノーマルサイクリックプレフィックスを有する例となるサブフレームフォーマットを概念的に例示するブロック図である。
【図５】本開示の様々な態様による、異なる制御フォーマットインジケータ（ＣＦＩ）値に対応する例となるサブフレームフォーマットを例示する図である。
【図６】本開示の様々な態様による、ＣＦＩ値の信頼できるインジケーションの例を例示する図である。
【図７】本開示の様々な態様による、ＣＦＩ値の信頼できるインジケーションの例を例示する図である。
【図８】本開示の様々な態様による、ＣＦＩ値の信頼できるインジケーションの例を例示する図である。
【図９】本開示の様々な態様による、例えば、ユーザ機器によって行われる例となるプロセスを例示する図である。
【図１０】本開示の様々な態様による、例えば、ユーザ機器によって行われる例となるプロセスを例示する図である。
【図１１】本開示の様々な態様による、例えば、ユーザ機器によって行われる例となるプロセスを例示する図である。
【詳細な説明】
【００２２】
[0029]  本開示の様々な態様が、添付の図面を参照して以下でさらに十分に説明される。しかしながら、本開示は、多くの異なる形式で具現化され得、本開示全体にわたって提示される任意の特定の構造または機能に限定されるものとして解釈されるべきでない。むしろ、これら態様は、本開示が徹底的かつ完全となり、本開示の範囲を当業者に十分に伝達することとなるように提供されている。本明細書での教示に基づき、当業者は、本明細書で開示される開示の任意の態様が、独立して実施されようと、本開示の任意の他の態様と組み合わされて実施されようと、本開示の範囲によってカバーされるように意図されていることを認識すべきである。例えば、本明細書で示される任意の数の態様を使用して、装置が実施され得るか、または方法が実践され得る。加えて、本開示の範囲は、本明細書で示される開示の様々な態様に加えてまたはそれら以外の、他の構造、機能性、または構造と機能性を使用して実践されるこのような装置または方法をカバーするように意図されている。本明細書で開示される開示の任意の態様が、請求項の１つまたは複数の要素によって具現化され得ることは理解されるべきである。
【００２３】
[0030]  電気通信システムのいくつかの態様が、これより、様々な装置および技法を参照して提示されるであろう。これら装置および技法は、以下の詳細な説明で説明され、様々なブロック、モジュール、構成要素、回路、ステップ、プロセス、アルゴリズム、および／または同様のもの（総称して「要素」と呼ばれる）によって添付の図面で例示される。これら要素は、ハードウェア、ソフトウェア、またはこれらの組合せを使用して実施され得る。そのような要素がハードウェアとして実施されるかソフトウェアとして実施されるかは、特定の用途およびシステム全体に課される設計制約に依存する。
【００２４】
[0031]  態様は、３Ｇおよび／または４Ｇワイヤレス技術に一般に関連する用語を使用して本明細書で説明され得るが、本開示の態様が、ＮＲ技術を含む５Ｇ以降のような他の世代ベースの通信システムで適用され得ることに留意されたい。
【００２５】
[0032]  図１は、本開示の態様が実践され得るネットワーク１００を例示する図である。ネットワーク１００は、ＬＴＥネットワーク、または５ＧもしくはＮＲネットワークのような他の何らかのワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄと示される）および他のネットワークエンティティを含み得る。ＢＳは、ユーザ機器（ＵＥ）と通信するエンティティであり、基地局、ＮＲ ＢＳ、ノードＢ、ｇＮＢ、５ＧノードＢ（ＮＢ）、アクセスポイント、送受信ポイント（ＴＲＰ）、および／または同様の用語でも呼ばれ得る。各ＢＳは、特定の地理的エリアに通信カバレッジを提供し得る。３ＧＰＰにおいて、「セル」という用語は、この用語が使用されるコンテキストに依存して、ＢＳのカバレッジエリアおよび／またはこのカバレッジエリアにサービス提供するＢＳサブシステムを指し得る。
【００２６】
[0033]  ＢＳは、マクロセル、ピコセル、フェムトセル、および／または別のタイプのセルに通信カバレッジを提供し得る。マクロセルは、比較的広い地理的エリア（例えば、半径数キロメートル）をカバーし得、サービスに加入しているＵＥによる無制限のアクセスを可能にし得る。ピコセルは、比較的狭い地理的エリアをカバーし得、サービスに加入しているＵＥによる無制限のアクセスを可能にし得る。フェムトセルは、比較的狭い地理的エリア（例えば、自宅）をカバーし得、このフェムトセルと関連性のあるＵＥ（例えば、クローズド加入者グループ（ＣＳＧ：closed subscriber group）内のＵＥ）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１で示される例では、ＢＳ１１０ａが、マクロセル１０２ａのためのマクロＢＳであり得、ＢＳ１１０ｂが、ピコセル１０２ｂのためのピコＢＳであり得、ＢＳ１１０ｃが、フェムトセル１０２ｃのためのフェムトＢＳであり得る。ＢＳは、１つまたは複数（例えば３つ）のセルをサポートし得る。「ｅＮＢ」、「基地局」、「ＮＲ ＢＳ」、「ｇＮＢ」、「ＴＲＰ」、「ＡＰ」、「ノードＢ」、「５Ｇ ＮＢ」、および「セル」という用語は、本明細書において同義で使用され得る。
【００２７】
[0034]  いくつかの態様では、セルが、必ずしも静止しているわけでなく、セルの地理的エリアが、モバイルＢＳのロケーションに従って移動し得る。いくつかの態様において、ＢＳは、直接物理接続、仮想ネットワーク、および／または任意の適切なトランスポートネットワークを使用する同様のもののような様々なタイプのバックホールインターフェースを通して、互いにおよび／またはアクセスネットワーク１００中の１つまたは複数の他のＢＳもしくはネットワークノード（図示せず）に相互接続され得る。
【００２８】
[0035]  ワイヤレスネットワーク１００はまた、中継局を含み得る。中継局は、アップストリーム局（例えば、ＢＳまたはＵＥ）からデータの送信を受信し、ダウンストリーム局（例えば、ＵＥまたはＢＳ）にデータの送信を送ることができるエンティティである。中継局はまた、他のＵＥのための送信を中継できるＵＥであり得る。図１に示される例では、中継局１１０ｄが、ＢＳ１１０ａとＵＥ１２０ｄとの間の通信を容易にするために、マクロＢＳ１１０ａおよびＵＥ１２０ｄと通信し得る。中継局は、中継ＢＳ、中継基地局、リレー、および／または同様の用語でも呼ばれ得る。
【００２９】
[0036]  ワイヤレスネットワーク１００は、異なるタイプのＢＳ、例えば、マクロＢＳ、ピコＢＳ、フェムトＢＳ、中継ＢＳ、および／または同様のものを含む異種ネットワークであり得る。これら異なるタイプのＢＳは、ワイヤレスネットワーク１００において異なる送信電力レベル、異なるカバレッジエリア、および干渉に対する異なるインパクトを有し得る。例えば、マクロＢＳが、高い送信電力レベル（例えば、５〜４０ワット）を有し得るのに対して、ピコＢＳ、フェムトＢＳ、および中継ＢＳは、より低い送信電力レベル（例えば、０．１〜２ワット）を有し得る。
【００３０】
[0037]  ネットワークコントローラ１３０は、ＢＳのセットに結合し得、これらＢＳに調整および制御を提供し得る。ネットワークコントローラ１３０は、バックホールを介してＢＳと通信し得る。ＢＳはまた、例えば、ワイヤレスまたはワイヤラインバックホールを介して間接的にまたは直接的に、互いに通信し得る。
【００３１】
[0038]  ＵＥ１２０（例えば、１２０ａ、１２０ｂ、１２０ｃ）は、ワイヤレスネットワーク１００全体に分散しており、各ＵＥは、据置式または可動式であり得る。ＵＥは、アクセス端末、端末、モバイル局、加入者ユニット、局、および／または同様の用語でも呼ばれ得る。ＵＥは、セルラ電話（例えば、スマートフォン）、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイスもしくは機器、バイオメトリックセンサ／デバイス、ウェアラブルデバイス（スマートウォッチ、スマート衣類、スマート眼鏡、スマートリストバンド、スマートジュエリ（例えば、スマートリング、スマートブレスレット））、エンターテインメントデバイス（例えば、音楽もしくはビデオデバイス、または衛星ラジオ）、車両部品もしくはセンサ、スマートメータ／センサ、工業生産機器、全地球測位システムデバイス、またはワイヤレスもしくはワイヤード媒体を介して通信するように構成された任意の他の適切なデバイスであり得る。
【００３２】
[0039]  いくつかのＵＥは、マシンタイプ通信（ＭＴＣ：machine-type communication）または発展型もしくは拡張マシンタイプ通信（ｅＭＴＣ：evolved or enhanced machine-type communication）ＵＥとみなされ得る。ＭＴＣおよびｅＭＴＣ ＵＥは、例えば、基地局、別のデバイス（例えば、リモートデバイス）、または他の何らかのエンティティと通信し得る、ロボット、ドローン、リモートデバイス、センサ、メータ、モニタ、ロケーションタグ、および／または同様のものを含む。ワイヤレスノードは、例えば、ワイヤードまたはワイヤレス通信リンクを介して、ネットワーク（例えば、セルラネットワークまたはインターネットのような広域ネットワーク）のための接続性またはそれへの接続性を提供し得る。いくつかのＵＥは、モノのインターネット（ＩｏＴ：Internet-of-Things）デバイスとみなされ得、および／またはＮＢ−ＩｏＴ（狭帯域モノのインターネット）デバイスとして実施され得る。いくつかのＵＥは、宅内機器（ＣＰＥ：Customer Premises Equipment）とみなされ得る。ＵＥ１２０は、プロセッサ構成要素、メモリ構成要素、および／または同様のもののような、ＵＥ１２０の構成要素を収容する筐体内に含まれ得る。
【００３３】
[0040]  一般に、任意の数のワイヤレスネットワークが、所与の地理的エリアに展開され得る。各ワイヤレスネットワークは、特定のＲＡＴをサポートし得、１つまたは複数の周波数上で動作し得る。ＲＡＴは、無線技術、エアインターフェース、および／または同様の用語でも呼ばれ得る。周波数は、キャリア、周波数チャネル、および／または同様の用語でも呼ばれ得る。各周波数は、異なるＲＡＴのワイヤレスネットワーク間の干渉を回避するために、所与の地理的エリアにおいて単一のＲＡＴをサポートし得る。いくつかの場合、ＮＲまたは５Ｇ ＲＡＴネットワークが展開され得る。
【００３４】
[0041]  いくつかの態様では、２つ以上のＵＥ１２０（例えば、ＵＥ１２０ａおよびＵＥ１２０ｅと示される）が、（例えば、基地局１１０を互いに通信するための媒介として使用することなく）１つまたは複数のサイドリンクチャネルを使用して直接通信し得る。例えば、これらＵＥ１２０は、ピア・ツー・ピア（Ｐ２Ｐ）通信、デバイス・ツー・デバイス（Ｄ２Ｄ）通信、ビークル・ツー・エブリシング（Ｖ２Ｘ）プロトコル（例えば、これはビークル・ツー・ビークル（Ｖ２Ｖ）プロトコル、ビークル・ツー・インフラストラクチャ（Ｖ２Ｉ）プロトコル、および／または同様のものを含み得る）、メッシュネットワーク、および／または同様のものを使用して通信し得る。この場合、ＵＥ１２０が、スケジューリング動作、リソース選択動作、および／または基地局１１０によって行われるとして本明細書の他の箇所で説明される他の動作を行い得る。
【００３５】
[0042]  上で示したように、図１は、単に一例として提供されている。他の例は、図１に関して説明されるものとは異なり得る。
【００３６】
[0043]  図２は、図１の基地局のうちの１つおよびＵＥのうちの１つであり得る、基地局１１０およびＵＥ１２０の設計２００のブロック図を示す。基地局１１０は、Ｔ個のアンテナ２３４ａ〜２３４ｔを装備し得、ＵＥ１２０は、Ｒ個のアンテナ２５２ａ〜２５２ｒを装備し得、ここで、一般に、Ｔ≧１およびＲ≧１である。
【００３７】
[0044]  基地局１１０では、送信プロセッサ２２０が、１つまたは複数のＵＥのためにデータソース２１２からデータを受信し、各ＵＥに対して１つまたは複数の変調およびコード化スキーム（ＭＣＳ：modulation and coding scheme）を、そのＵＥから受信されたチャネル品質インジケータ（ＣＱＩ：channel quality indicator）に少なくとも部分的に基づいて選択し、各ＵＥのためのデータを、そのＵＥに対して選択されたＭＣＳに少なくとも部分的に基づいて処理（例えば、符号化および変調）し、全てのＵＥのためのデータシンボルを提供し得る。送信プロセッサ２２０はまた、システム情報（例えば、準静的リソース分割情報（ＳＲＰＩ：semi-static resource partitioning information）および／または同様のものについての）および制御情報（例えば、ＣＱＩ要求、グラント（grant）、上位層シグナリング、および／または同様のもの）を処理し、オーバーヘッドシンボルおよび制御シンボルを提供し得る。送信プロセッサ２２０はまた、基準信号（例えば、セル固有基準信号（ＣＲＳ：cell-specific reference signal））および同期信号（例えば、一次同期信号（ＰＳＳ：primary synchronization signal）および二次同期信号（ＳＳＳ：secondary synchronization signal））のための基準シンボルを生成し得る。送信（ＴＸ：transmit）多入力多出力（ＭＩＭＯ：multiple-input multiple-output）プロセッサ２３０は、適用可能であれば、データシンボル、制御シンボル、オーバーヘッドシンボル、および／または基準シンボルに対して空間処理（例えば、プリコーディング）を行い、Ｔ個の変調器（ＭＯＤ：modulator）２３２ａ〜２３２ｔにＴ個の出力シンボルストリームを提供し得る。各変調器２３２は、出力サンプルストリームを取得するために、それぞれの出力シンボルストリーム（例えば、ＯＦＤＭおよび／または同様のもののための）を処理し得る。各変調器２３２は、ダウンリンク信号を取得するために、この出力サンプルストリームをさらに処理（例えば、アナログ変換、増幅、フィルタリング、
およびアップコンバート）し得る。変調器２３２ａ〜２３２ｔからのＴ個のダウンリンク信号は、それぞれＴ個のアンテナ２３４ａ〜２３４ｔを介して送信される。以下でより詳細に説明される様々な態様に従って、同期信号は、追加の情報を伝達するために位置符号化（location encoding）を用いて生成され得る。
【００３８】
[0045]  ＵＥ１２０では、アンテナ２５２ａ〜２５２ｒが、基地局１１０および／または他の基地局からダウンリンク信号を受信し、受信信号をそれぞれ復調器（ＤＥＭＯＤ：demodulator）２５４ａ〜２５４ｒに提供し得る。各復調器２５４は、入力サンプルを取得するために、受信信号を調整（例えば、フィルタリング、増幅、ダウンコンバート、およびデジタル化）し得る。各復調器２５４は、受信シンボルを取得するために、これら入力サンプル（例えば、ＯＦＤＭおよび／または同様のもののための）をさらに処理し得る。ＭＩＭＯ検出器２５６は、Ｒ個全ての復調器２５４ａ〜２５４ｒからの受信シンボルを取得し、適用可能であれば、それらの受信シンボルに対してＭＩＭＯ検出を行い、検出されたシンボルを提供し得る。受信プロセッサ２５８は、検出されたシンボルを処理（例えば、復調および復号）し、ＵＥ１２０のための復号済みデータをデータシンク２６０に提供し、復号済み制御情報およびシステム情報をコントローラ／プロセッサ２８０に提供し得る。チャネルプロセッサは、基準信号受信電力（ＲＳＲＰ：reference signal received power）、受信信号強度インジケータ（ＲＳＳＩ：received signal strength indicator）、基準信号受信品質（ＲＳＲＱ：reference signal received quality）、チャネル品質インジケータ（ＣＱＩ：channel quality indicator）、および／または同様のものを決定し得る。
【００３９】
[0046]  アップリンクでは、ＵＥ１２０で、送信プロセッサ２６４は、データソース２６２からデータを、コントローラ／プロセッサ２８０から制御情報（例えば、ＲＳＲＰ、ＲＳＳＩ、ＲＳＲＱ、ＣＱＩ、および／または同様のものを備える報告のための）を受信し、処理し得る。送信プロセッサ２６４はまた、１つまたは複数の基準信号のための基準シンボルを生成し得る。送信プロセッサ２６４からのシンボルは、適用可能であれば、ＴＸ ＭＩＭＯプロセッサ２６６によってプリコーディングされ、変調器２５４ａ〜２５４ｒ（例えば、ＤＦＴ−ｓ−ＯＦＤＭ、ＣＰ−ＯＦＤＭ、および／または同様のもののための）によってさらに処理され、基地局１１０に送信され得る。基地局１１０において、ＵＥ１２０によって送られた復号済みデータおよび制御情報を取得するために、ＵＥ１２０および他のＵＥからのアップリンク信号が、アンテナ２３４によって受信され、復調器２３２によって処理され、適用可能であれば、ＭＩＭＯ検出器２３６によって検出され、受信プロセッサ２３８によってさらに処理され得る。受信プロセッサ２３８は、復号済みデータをデータシンク２３９に、復号済み制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００４０】
[0047]  いくつかの態様では、ＵＥ１２０の１つまたは複数の構成要素が、筐体に含まれ得る。基地局１１０のコントローラ／プロセッサ２４０、ＵＥ１２０のコントローラ／プロセッサ２８０、および／または図２の任意の他の構成要素は、本明細書の他の箇所でより詳細に説明されるように、ＣＦＩ値の信頼できるインジケーションに関連する１つまたは複数の技法を行い得る。例えば、基地局１１０のコントローラ／プロセッサ２４０、ＵＥ１２０のコントローラ／プロセッサ２８０、および／または図２の任意の他の構成要素は、例えば、図９のプロセス９００、図１０のプロセス１０００、図１１のプロセス１１００、および／または本明細書で説明される他のプロセスの動作を行うかまたは指揮し得る。メモリ２４２および２８２は、それぞれ、基地局１１０およびＵＥ１２０のためのデータおよびプログラムコードを記憶し得る。スケジューラ２４６は、ダウンリンクおよび／またはアップリンク上でのデータ送信についてＵＥをスケジューリングし得る。
【００４１】
[0048]  いくつかの態様では、ＵＥ１２０が、無線リソース制御（ＲＲＣ：radio resource control）メッセージまたはシステム情報ブロック（ＳＩＢ：system information block）中で制御フォーマットインジケータ（ＣＦＩ：control format indicator）値を受信するための手段、ＵＥ１２０が動作している構成にかかわらず、ＲＲＣメッセージまたはＳＩＢ中で受信されたＣＦＩ値を使用するための手段、および／または同様のものを含み得る。追加的または代替的に、ＵＥ１２０は、物理制御フォーマットインジケータチャネル（ＰＣＦＩＣＨ：physical control format indicator channel）を介して搬送されないメッセージ中で第１のＣＦＩ値を受信するための手段、ＵＥ１２０が、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定するための手段、ＵＥ１２０が、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作するための手段、および／または同様のものを含み得る。追加的または代替的に、ＵＥ１２０は、第１のＣＦＩ値が適用されることとなるサブフレームの第１のセットのインジケーションをメッセージ中で受信するための手段と、第２のＣＦＩ値が適用されることとなるサブフレームの第２のセットのインジケーションをメッセージ中で受信するための手段と、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用するための手段とを含み得る。追加的または代替的に、ＵＥ１２０は、物理制御フォーマットインジケータチャネル（ＰＣＦＩＣＨ）を介して搬送されないメッセージ中で、ＵＥ１２０の１つまたは複数のコンポーネントキャリアについて、第１のＣＦＩ値を受信するための手段、１つまたは複数のコンポーネントキャリアが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定するための手段、１つまたは複数のコンポーネントキャリアが、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作するための手段、および／または同様のものを含み得る。いくつかの態様では、そのような手段が、図２に関して説明したＵＥ１２０の１つまたは複数の構成要素を含み得る。
【００４２】
[0049]  上で示したように、図２は、単に一例として提供されている。他の例は、図２に関して説明されるものとは異なり得る。
【００４３】
[0050]  図３Ａは、電気通信システム（例えば、ＮＲ）におけるＦＤＤのための例となるフレーム構造３００を示す。ダウンリンクおよびアップリンクの各々についての送信タイムラインは、無線フレームの単位に分割され得る。各無線フレームは、所定の持続時間を有し得、（例えば、０〜Ｚ−１のインデックスを有する）Ｚ（Ｚ≧１）個のサブフレームのセットに分割され得る。各サブフレームは、スロットのセットを含み得る（例えば、図３Ａには、１サブフレームあたり２つのスロットが示されている）。各スロットは、Ｌ個のシンボル期間のセットを含み得る。例えば、各スロットは、（例えば、図３Ａに示されるような）７つのシンボル期間または異なる数のシンボル期間を含み得る。サブフレームが２つのスロットを含む場合、サブフレームは、２Ｌ個のシンボル期間を含み得、各サブフレーム中の２Ｌ個のシンボル期間は、０〜２Ｌ−１のインデックスが割り当てられ得る。いくつかの態様では、サブフレームが、１４個のシンボルを含み得る。いくつかの態様では、ＦＤＤのためのスケジューリング単位が、フレームベース、サブフレームベース、スロットベース、シンボルベース、および／または同様のものであり得る。
【００４４】
[0051]  いくつかの技法は、フレーム、サブフレーム、スロット、および／または同様のものに関して本明細書で説明されているが、これら技法は、５Ｇ ＮＲにおいて、「フレーム」、「サブフレーム」、「スロット」、および／または同様の用語以外の用語を使用して参照され得る他のタイプの送信時間インターバル（ＴＴＩ：transmission time interval）または短縮ＴＴＩ（ｓＴＴＩ：shortened TTI）に同様に適用され得る。いくつかの態様では、ＴＴＩが、ワイヤレス通信規格および／またはプロトコルによって定義される周期的時間限定通信単位（periodic time-bounded communication unit）を指し得る。追加的または代替的に、柔軟に構成され得る長さ（例えば、２つのシンボル、３つのシンボル、および／または同様のもの）を有するｓＴＴＩのような、図３Ａに示されているものとは異なる構成のＴＴＩが使用され得る。
【００４５】
[0052]  特定の電気通信（例えば、ＮＲ）では、基地局が、同期信号を送信し得る。例えば、基地局は、この基地局がサポートしているセルごとにダウンリンク上で、一次同期信号（ＰＳＳ）、二次同期信号（ＳＳＳ）、および／または同様のものを送信し得る。ＰＳＳおよびＳＳＳは、セル探索および捕捉のためにＵＥによって使用され得る。例えば、ＰＳＳは、シンボルタイミングを決定するためにＵＥによって使用され得、ＳＳＳは、基地局に関連する物理セル識別子とフレームタイミングとを決定するためにＵＥによって使用され得る。基地局はまた、物理ブロードキャストチャネル（ＰＢＣＨ）を送信し得る。ＰＢＣＨは、ＵＥによる初期アクセスをサポートするシステム情報のような何らかのシステム情報を搬送し得る。基地局はまた、本明細書の他の箇所でより詳細に説明するように、制御フォーマットインジケータ（ＣＦＩ）を使用するサブフレームフォーマットおよび／またはサブフレームレイアウトを示すために物理制御フォーマットインジケータチャネル（ＰＣＦＩＣＨ）を送信し得る。
【００４６】
[0053]  いくつかの態様において、基地局は、図３Ｂに関して以下で説明されるように、複数の同期通信（例えば、ＳＳブロック）を含む同期通信階層（例えば、同期信号（ＳＳ：synchronization signal）階層）に従って、ＰＳＳ、ＳＳＳ、および／またはＰＢＣＨを送信し得る。
【００４７】
[0054]  図３Ｂは、同期通信階層の例である例となるＳＳ階層を概念的に例示するブロック図である。図３Ｂに示されるように、ＳＳ階層は、複数のＳＳバースト（ＳＳバースト０〜ＳＳバーストＢ−１として識別され、ここで、Ｂは、基地局によって送信され得るＳＳバーストの反復の最大数である）を含み得るＳＳバーストセットを含み得る。さらに示されるように、各ＳＳバーストは、１つまたは複数のＳＳブロック（ＳＳブロック０〜ＳＳブロック（ｂｍａｘ＿ＳＳ−１）として識別され、ここで、ｂｍａｘ＿ＳＳ−１は、１つのＳＳバーストによって搬送され得るＳＳブロックの最大数である）を含み得る。いくつかの態様では、異なるＳＳブロックが、別々にビームフォーミングされ得る。ＳＳバーストセットは、図３Ｂに示されるように、Ｘミリ秒ごとのように、周期的にワイヤレスノードによって送信され得る。いくつかの態様では、ＳＳバーストセットが、図３ＢにおいてＹミリ秒と示される、固定のまたは動的な長さを有し得る。
【００４８】
[0055]  図３Ｂに示されるＳＳバーストセットは、同期通信セットの一例であり、他の同期通信セットが、本明細書で説明される技法に関して使用され得る。さらに、図３Ｂに示されるＳＳブロックは、同期通信の一例であり、他の同期通信が、本明細書で説明される技法に関して使用され得る。
【００４９】
[0056]  いくつかの態様では、ＳＳブロックが、ＰＳＳ、ＳＳＳ、ＰＢＣＨ、および／または他の同期信号（例えば、三次同期信号（ＴＳＳ：tertiary synchronization signal））および／または同期チャネルを搬送するリソースを含む。いくつかの態様では、複数のＳＳブロックがＳＳバーストに含まれており、ＰＳＳ、ＳＳＳ、および／またはＰＢＣＨは、ＳＳバーストの各ＳＳブロックにわたって同じであり得る。いくつかの態様では、単一のＳＳブロックがＳＳバーストに含まれているであろう。いくつかの態様において、ＳＳブロックは、長さが少なくとも４つのシンボル期間であり得、ここで、各シンボルは、（例えば、１つのシンボルを占有する）ＰＳＳ、（例えば、１つのシンボルを占有する）ＳＳＳ、および／または（例えば、２つのシンボルを占有する）ＰＢＣＨのうちの１つまたは複数を搬送する。
【００５０】
[0057]  いくつかの態様において、ＳＳブロックのシンボルは、図３Ｂに示されるように連続である。いくつかの態様において、ＳＳブロックのシンボルは、不連続である。同様に、いくつかの態様では、ＳＳバーストの１つまたは複数のＳＳブロックが、１つまたは複数のサブフレーム中の連続する無線リソース（例えば、連続するシンボル期間）で送信され得る。追加的または代替的に、ＳＳバーストの１つまたは複数のＳＳブロックが、不連続の無線リソースで送信され得る。
【００５１】
[0058]  いくつかの態様において、ＳＳバーストは、バースト周期（burst period）を有し得、それによって、ＳＳバーストのＳＳブロックは、このバースト周期に従って基地局によって送信される。換言すると、ＳＳブロックは、各ＳＳバーストの間、繰り返され得る。いくつかの態様において、ＳＳバーストセットは、バーストセット周期性を有し得、それによって、ＳＳバーストセットのＳＳバーストは、固定のバーストセット周期性に従って基地局によって送信される。換言すると、ＳＳバーストは、各ＳＳバーストセットの間、繰り返され得る。
【００５２】
[0059]  基地局は、特定のサブフレームにおいて物理ダウンリンク共有チャネル（ＰＤＳＣＨ：physical downlink control channel）上でシステム情報ブロック（ＳＩＢ）のようなシステム情報を送信し得る。基地局は、サブフレームのＣ個のシンボル期間において物理ダウンリンク制御チャネル（ＰＤＣＣＨ：physical downlink control channel）上で制御情報／データを送信し得、ここで、Ｂは、サブフレームごとに設定可能であり得る。基地局は、各サブフレームの残りのシンボル期間においてＰＤＳＣＨ上でトラフィックデータおよび／または他のデータを送信し得る。
【００５３】
[0060]  上で示したように、図３Ａおよび３Ｂは、一例として提供されている。他の例は、図３Ａおよび３Ｂに関して説明されるものとは異なり得る。
【００５４】
[0061]  図４は、ノーマルサイクリックプレフィックスを有する例となるサブフレームフォーマット４１０を示す。利用可能な時間周波数リソースは、複数のリソースブロックに分割され得る。各リソースブロックは、１つのスロットにおいてサブキャリアのセット（例えば、１２個のサブキャリア）をカバーし得、いくつかのリソースエレメントを含み得る。各リソースエレメントは、１つのシンボル期間において（例えば、時間的に）１つのサブキャリアをカバーし得、実数値または複素数値であり得る１つの変調シンボルを送るために使用され得る。いくつかの態様では、サブフレームフォーマット４１０が、本明細書で説明されるように、ＰＳＳ、ＳＳＳ、ＰＢＣＨ、および／または同様のものを搬送するＳＳブロックの送信に使用され得る。
【００５５】
[0062]  本明細書で説明される例の態様は、ＮＲまたは５Ｇ技術に関連し得るが、本開示の態様は、他のワイヤレス通信システムに適用可能であり得る。新無線（ＮＲ）は、（例えば、直交周波数分割多元接続（ＯＦＤＭＡ）ベースのエアインターフェース以外の）新しいエアインターフェースまたは（例えば、インターネットプロトコル（ＩＰ）以外の）固定トランスポートレイヤに従って動作するように構成された無線を指し得る。複数の態様では、ＮＲが、アップリンク上で、ＣＰを有するＯＦＤＭ（本明細書においてサイクリックプレフィックスＯＦＤＭまたはＣＰ−ＯＦＤＭと呼ばれる）および／またはＳＣ−ＦＤＭを利用し得、ダウンリンク上で、ＣＰ−ＯＦＤＭを利用し得、ＴＤＤを使用する半二重動作に対するサポートを含み得る。複数の態様では、ＮＲが、例えば、アップリンク上で、ＣＰを有するＯＦＤＭ（本明細書においてＣＰ−ＯＦＤＭと呼ばれる）および／または離散フーリエ変換拡散直交周波数分割多重（ＤＦＴ−ｓ−ＯＦＤＭ）を利用し得、ダウンリンク上で、ＣＰ−ＯＦＤＭを利用し得、ＴＤＤを使用する半二重動作に対するサポートを含み得る。ＮＲは、広帯域幅（例えば、８０メガヘルツ（ＭＨｚ）以上）をターゲットとする拡張モバイルブロードバンド（ｅＭＢＢ）サービス、高いキャリア周波数（例えば、６０ギガヘルツ（ＧＨｚ））をターゲットとするミリメートル波（ｍｍＷ）、後方互換性のないＭＴＣ技法をターゲットとするマッシブＭＴＣ（ｍＭＴＣ）、および／または超高信頼低レイテンシ通信（ＵＲＬＬＣ：ultra-reliable low latency communications）サービスをターゲットとするミッションクリティカルを含み得る。
【００５６】
[0063]  いくつかの態様では、１００ＭＨｚの単一のコンポーネントキャリア帯域幅がサポートされ得る。ＮＲリソースブロックは、０．１ミリ秒（ｍｓ）の持続時間にわたって６０または１２０キロヘルツ（ｋＨｚ）のサブキャリア帯域幅を有する１２個のサブキャリアに及び得る。各無線フレームは、１０ｍｓの長さを有する４０個のサブフレームを含み得る。従って、各サブフレームは、０．２５ｍｓの長さを有し得る。各サブフレームは、データ送信のリンク方向（例えば、ＤＬまたはＵＬ）を示し得、各サブフレームのリンク方向は、動的に切り替えられ得る。各サブフレームは、ＤＬ／ＵＬデータだけでなくＤＬ／ＵＬ制御データも含み得る。
【００５７】
[0064]  ビームフォーミングがサポートされ得、ビーム方向が動的に構成され得る。プリコーディングを用いたＭＩＭＯ送信もサポートされ得る。ＤＬにおけるＭＩＭＯ構成は、最大８つのストリームかつＵＥあたり最大２つのストリームまでのマルチレイヤＤＬ送信で最大８つの送信アンテナをサポートし得る。ＵＥあたり最大２つのストリームを有するマルチレイヤ送信がサポートされ得る。複数のセルのアグリゲーションは、最大８つのサービングセルを用いてサポートされ得る。代替的に、ＮＲは、ＯＦＤＭベースのインターフェース以外の異なるエアインターフェースをサポートし得る。ＮＲネットワークは、中央ユニットまたは分散ユニットのようなエンティティを含み得る。
【００５８】
[0065]  上で示したように、図４は、一例として提供されている。他の例は、図４に関して説明されるものとは異なり得る。
【００５９】
[0066]  図５は、本開示の様々な態様による、異なる制御フォーマットインジケータ（ＣＦＩ）値に対応する例となるサブフレームフォーマット５００を例示する図である。
【００６０】
[0067]  図５に示されるように、ＵＥ１２０に異なるサブフレームフォーマット（サブフレームレイアウト、ダウンリンクレイアウト、および／または同様の用語でも呼ばれる）を示すために異なるＣＦＩ値が使用され得る。例えば、１のＣＦＩ値（ＣＦＩ１と示される）は、サブフレーム中の第１のｓＴＴＩ（ｓＴＴＩ０と示される）が３シンボル長であることと、第１のシンボルが制御情報を搬送することと、第２および第３のシンボルがデータを搬送することとを示し得る。同様に、２のＣＦＩ値（ＣＦＩ２と示される）は、サブフレーム中の第１のｓＴＴＩが２シンボル長であることと、両方のシンボルが制御情報を搬送することとを示し得る。最後に、３のＣＦＩ値（ＣＦＩ３と示される）は、サブフレーム中の第１のｓＴＴＩが３シンボル長であることと、３つ全てのシンボルが制御情報を搬送することとを示し得る。ＣＦＩ値は、ｓＴＴＩ構成のための異なるサブフレームレイアウトを示すものとして示されているが、ＣＦＩ値は、追加的または代替的に、ＴＴＩ構成、ＵＲＬＬＣ構成、ｅＭＢＢ構成、および／または同様のもののような他の構成のための異なるサブフレームレイアウトを示し得る。
【００６１】
[0068]  ＵＥ１２０は、サブフレームフォーマットを識別するためにＣＦＩ値を使用し得る。例えば、ＵＥ１２０は、サブフレームに含まれているスロット、ＴＴＩ、ｓＴＴＩ、および／または同様のもののパターンを識別するためにＣＦＩ値を使用し得る。追加的または代替的に、ＵＥ１２０は、サブフレームのための異なるスロット、ＴＴＩ、ｓＴＴＩ、および／または同様のものに含まれているシンボルの数を識別するためにＣＦＩ値を使用し得る。追加的または代替的に、ＵＥ１２０は、制御情報を含む（例えば、サブフレームの最初の３つのシンボルの）１つまたは複数のシンボルを識別するためにＣＦＩ値を使用し得る。例えば、ＵＥ１２０は、ＣＦＩ値が１であるとき、サブフレームの第１のシンボルだけが制御情報を含むこと、ＣＦＩ値が２であるとき、サブフレームの第１および第２のシンボルだけが制御情報を含むこと、またはＣＦＩ値が３であるとき、最初の３つのシンボルだけが制御情報を含むことを決定し得る。同様に、ＵＥ１２０は、データを含む（例えば、サブフレームの最初の３つのシンボルの）１つまたは複数のシンボルを識別するためにＣＦＩ値を使用し得る。サブフレームフォーマットを識別することに少なくとも部分的に基づいて、ＵＥ１２０は、制御情報および／またはデータを正確に取得し得る。
【００６２】
[0069]  いくつかの態様において、ＣＦＩ値は、ＣＦＩを搬送する物理制御フォーマットインジケータチャネル（ＰＣＦＩＣＨ）中で示され得る。例えば、基地局１１０は、ＰＣＦＩＣＨ中でＣＦＩを示し得、ＵＥ１２０は、ＣＦＩを取得するためにＰＣＦＩＣＨを復号し得る。しかしながら、ＵＥ１２０がＰＣＦＩＣＨを不正確に復号した場合、ＵＥ１２０は、誤ったサブフレームフォーマットを決定し得、これは、エラー、レイテンシの増加、信頼性の低下、および／または同様のことを引き起こし得る。ゆえに、いくつかの態様において、基地局１１０は、無線リソース制御（ＲＲＣ）メッセージ（例えば、専用ＲＲＣ接続を使用して示されるＲＲＣ構成メッセージ）、システム情報ブロック（ＳＩＢ）、および／または同様のもののような非ＰＣＦＩＣＨメッセージ中でＣＦＩ値をＵＥ１２０に示し得る。このようにして、ＵＥ１２０は、正確なＣＦＩ値を取得し、正確なサブフレームフォーマットを決定する可能性が高くなり得、これは、エラーを低減し、レイテンシを低減し、信頼性を高め、および／または同様のことを行い得る。これは、ＵＲＬＬＣ構成および／または同様のもののような異なる構成のためのレイテンシおよび／または信頼性要件を満たすのに役立ち得る。
【００６３】
[0070]  しかしながら、ＵＥ１２０（例えば、ＵＲＬＬＣ対応ＵＥ）は、ＵＲＬＬＣ構成、非ＵＲＬＬＣ構成（例えば、ｅＭＢＢ構成および／または同様のもの）、ｓＴＴＩ構成、ＴＴＩ構成（例えば、１ミリ秒のサブフレームを有するレガシＴＴＩ構成）、様々なキャリアアグリゲーション構成、および／または同様のもののような様々な構成を使用して動作し得る。ゆえに、ＵＥ１２０は、ＣＦＩ値を取得するためにＰＣＦＩＣＨを復号することを伴い得る、５Ｇ動作、４Ｇ動作（例えば、レガシ動作）、および／または同様のものをサポートする必要があり得る。さらに、ＵＥ１２０は、これら様々な構成をサポートするために、ＣＦＩ使用に対して柔軟に構成される必要があり得る。本明細書で説明されるいくつかの技法および装置は、ＵＥ１２０が、様々な構成にわたって完全な互換性を与えるため、そして、異なる構成の様々な要件を満たすために、異なる方法で受信されたＣＦＩ値を使用するように柔軟に構成されることを可能にする。
【００６４】
[0071]  上で示したように、図５は、一例として提供されている。他の例は、図５に関して説明されるものとは異なり得る。
【００６５】
[0072]  図６は、本開示の様々な態様による、ＣＦＩ値の信頼できるインジケーションの例６００を例示する図である。
【００６６】
[0073]  参照番号６１０によって示されるように、基地局１１０は、無線リソース制御（ＲＲＣ）メッセージ（例えば、ＵＥ固有メッセージ）、システム情報ブロック（ＳＩＢ）（例えば、セル固有メッセージ）、および／または同様のもののような非ＰＣＦＩＣＨメッセージ中でＣＦＩ値を送信し得、ＵＥ１２０は、それを受信し得る。ゆえに、非ＰＣＦＩＣＨメッセージは、いくつかの態様において、セル固有であり得る（例えば、セルごとに構成され得る）。いくつかの態様において、基地局１１０は、ＵＥ１２０が、ＵＲＬＬＣ構成、ｓＴＴＩ構成、および／または同様のもののような、非ＰＣＦＩＣＨメッセージ中のＣＦＩ値が使用されることとなる構成を使用して動作するように構成されているという決定に少なくとも部分的に基づいて、非ＰＣＦＩＣＨメッセージ中でＣＦＩ値を送信し得、ＵＥ１２０はそれを受信し得る。いくつかの態様で、ＵＥ１２０がそのような構成で構成されない（例えば、ｅＭＢＢ構成、レガシＴＴＩ構成、および／または同様のものだけを使用して動作している）場合には、基地局１１０が非ＰＣＦＩＣＨメッセージ中でＣＦＩ値を示さないか、または、非ＰＣＦＩＣＨメッセージ中でＣＦＩ値が示される場合に、ＵＥ１２０が非ＰＣＦＩＣＨメッセージ中のＣＦＩ値を使用しないであろう。
【００６７】
[0074]  参照番号６２０によって示されるように、ＵＥ１２０は、ＵＥ１２０が動作している構成にかかわらず、非ＰＣＦＩＣＨメッセージ中で受信されたＣＦＩ値を使用し得る。例えば、ＵＥ１２０は、ＵＲＬＬＣ構成、ｅＭＢＢ構成、レガシＴＴＩ構成、１ミリ秒ＴＴＩ構成、ｓＴＴＩ構成、しきい値を満たすレイテンシ要件を有する構成、しきい値を満たす信頼性要件を有する構成、キャリアアグリゲーション構成、デュアル接続性構成、および／または同様のものに、非ＰＣＦＩＣＨメッセージ中で受信されたＣＦＩ値を使用し得る。いくつかの態様では、ＵＲＬＬＣ構成および／またはｓＴＴＩ構成が、ＤＣＩフォーマット７−０ｘおよび７−１ｘのような、関連するＤＣＩフォーマットを使用して参照され得る。同様に、ｅＭＢＢ構成および／またはレガシＴＴＩ構成は、（例えば、ＤＣＩフォーマット７−０ｘおよび７−１ｘ以外の）関連するＤＣＩフォーマットを使用して参照され得る。いくつかの態様において、ＵＥ１２０は、非ＰＣＦＩＣＨメッセージ中で受信されたＣＦＩ値をこれら構成の全てに使用し得る。
【００６８】
[0075]  いくつかの態様において、ＵＥ１２０は、図５に関して上で説明したように、サブフレームフォーマット（例えば、サブフレームレイアウト、ダウンリンクレイアウト、および／または同様のもの）を決定するために、非ＰＣＦＩＣＨメッセージ中で受信されたＣＦＩ値を使用し得る。サブフレームフォーマットは、基地局１１０と通信するために、例えば、ダウンリンク制御情報（ＤＣＩ：downlink control information）を（例えば、ＰＤＣＣＨにおいて）受信するため、ダウンリンクデータを（例えば、ＰＤＳＣＨにおいて）受信するため、および／または同様のことを行うために、使用され得る。追加的または代替的に、ＵＥ１２０は、図５に関して上で説明したように、制御情報および／もしくはデータを含む１つまたは複数のシンボルを識別するために並びに／または制御情報および／もしくはデータを取得するために、ＣＦＩ値を使用し得る。
【００６９】
[0076]  参照番号６３０によって示されるように、ＵＥ１２０は、非ＰＣＦＩＣＨメッセージ中でＣＦＩ値を受信することに少なくとも部分的に基づいて、ＰＣＦＩＣＨの復号を防止し得る。例えば、ＵＥ１２０が非ＰＣＦＩＣＨメッセージ中で受信されたＣＦＩ値を全ての構成に使用するため、ＵＥ１２０は、（例えば、ＰＣＦＩＣＨ中のＣＦＩ値がいずれの構成にも使用されないため）ＰＣＦＩＣＨからＣＦＩ値を取得する必要がないであろう。このようにして、ＵＥ１２０は、そうでなければＰＣＦＩＣＨを復号するために使用されたであろうＵＥのリソース（例えば、メモリ、処理電力、バッテリ電力、および／または同様のもの）を節約し得る。
【００７０】
[0077]  いくつかの態様では、基地局１１０が非ＰＣＦＩＣＨメッセージ中でＣＦＩ値を送信する場合、基地局１１０が、ＰＣＦＩＣＨ中でのＣＦＩ値の送信を防止し得る。例えば、ＵＥ１２０が非ＰＣＦＩＣＨメッセージ中のＣＦＩ値をＵＥの全ての構成に使用することになると基地局１１０が決定した場合、基地局１１０は、（例えば、ＰＣＦＩＣＨ上のそのようなＣＦＩ値がＵＥ１２０によって使用されないであろうという理由で）ＰＣＦＩＣＨ上でのＣＦＩ値の送信を防止し得る。このようにして、基地局１１０は、ネットワークリソースおよび基地局１１０のリソース（例えば、メモリ、処理電力、および／または同様のもの）を節約し得る。
【００７１】
[0078]  いくつかの態様において、非ＰＣＦＩＣＨメッセージは、複数のＣＦＩ値を含み得、ＵＥ１２０は、複数のＣＦＩ値から、使用されることとなるＣＦＩ値を選択し得る。例えば、非ＰＣＦＩＣＨメッセージは、複数のＣＦＩ値を含み得、各ＣＦＩ値は、図７および図８に関して以下でより詳細に説明するように、異なるサブフレームセットに対応し得る。
【００７２】
[0079]  上で示したように、図６は、一例として提供されている。他の例は、図６に関して説明されるものとは異なり得る。
【００７３】
[0080]  図７は、本開示の様々な態様による、ＣＦＩ値の信頼できるインジケーションの別の例７００を例示する図である。
【００７４】
[0081]  参照番号７１０によって示されるように、基地局１１０は、ＲＲＣメッセージ、ＳＩＢ（例えば、ＳＩＢにおいて搬送されるメッセージ）、および／または同様のもののような非ＰＣＦＩＣＨメッセージ（例えば、ＰＣＦＩＣＨを介して搬送されないメッセージ）中で第１のＣＦＩ値を送信し得、ＵＥ１２０は、それを受信し得る。図６に関して上で説明したように、いくつかの態様では、ＵＲＬＬＣ構成、ｓＴＴＩ構成、および／または同様のもののような、非ＰＣＦＩＣＨメッセージ中のＣＦＩ値が使用されることとなる構成を使用して動作するようにＵＥ１２０が構成される場合にだけ、ＣＦＩ値が、非ＰＣＦＩＣＨメッセージ（例えば、ＲＲＣメッセージ）中で示され得る。
【００７５】
[0082]  いくつかの態様において、非ＰＣＦＩＣＨメッセージは、複数のＣＦＩ値を含み得、ＵＥ１２０は、複数のＣＦＩ値から第１のＣＦＩ値を選択し得る。例えば、非ＰＣＦＩＣＨメッセージは、複数のＣＦＩ値を含み得、ここで、各ＣＦＩ値は、異なるサブフレームセットに対応する。異なるサブフレームセットは各々、サブフレームの相互排他的なセットを含み得る。例えば、非ＰＣＦＩＣＨメッセージは、サブフレームの第１のセットに使用されることとなる１つのＣＦＩ値を示し得、サブフレームの第２のセットに使用されることとなる別のＣＦＩ値を示し得、以下同様である。ＵＥ１２０は、ＵＥ１２０が動作しているサブフレームが属するサブフレームセット（例えば、ＵＥ１２０が、サブフレームのフォーマットを決定するためにＣＦＩ値を必要とするサブフレーム）かどうかを決定し得、そのサブフレームセットに対応するＣＦＩ値を識別し得る。さらなる詳細は、図８に関して以下に提供される。
【００７６】
[0083]  参照番号７２０によって示されるように、ＵＥ１２０は、ＵＥが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定し得る。いくつかの態様において、第１の構成は、例えば、ＵＲＬＬＣ構成、ｓＴＴＩ構成、しきい値以下のレイテンシ要件を有する構成、しきい値以上の信頼性要件を有する構成、ＵＥ１２０の全てのコンポーネントキャリアが非ＰＣＦＩＣＨメッセージ中で示されるＣＦＩ値を使用して構成される構成、および／または同様のものを含み得る。追加的または代替的に、第２の構成は、例えば、ｅＭＢＢ構成、レガシＴＴＩ構成、しきい値以上のレイテンシ要件を有する構成、しきい値以下の信頼性要件を有する構成、ＵＥ１２０のコンポーネントキャリアが非ＰＣＦＩＣＨメッセージ中で示されるＣＦＩ値を使用して構成されない構成（例えば、ＵＥ１２０の全てのコンポーネントキャリアがＰＣＦＩＣＨ中で示されるＣＦＩ値を使用して構成される構成）、および／または同様のものを含み得る。
【００７７】
[0084]  参照番号７３０によって示されるように、いくつかの態様において、基地局１１０は、ＰＣＦＩＣＨ中で第２のＣＦＩ値を送信し得る。ＵＥ１２０は、以下でより詳細に説明するように、ＵＥ１２０が第２の構成を使用して動作している場合、第２のＣＦＩ値を取得するためにＰＣＦＩＣＨを復号し得る。
【００７８】
[0085]  参照番号７４０によって示されるように、ＵＥ１２０は、ＵＥが第１の構成を使用して動作しているか、第２の構成を使用して動作しているか、両方を使用して動作しているかを決定することに少なくとも部分的に基づいて、第１のＣＦＩ値および／または第２のＣＦＩ値を使用して動作し得る。例えば、ＵＥ１２０は、ＵＥ１２０が第１の構成だけを使用して動作している場合、第１のＣＦＩ値だけを使用して動作し得る。同様に、ＵＥ１２０は、ＵＥ１２０が第２の構成だけを使用して動作している場合、第２のＣＦＩ値だけを使用して動作し得る。ＵＥ１２０が、第１の構成および第２の構成の両方を（例えば、同時にまたはコンカレントに）使用して動作している場合、ＵＥ１２０は、第１の構成に対して（例えば、第１の構成を使用する通信に対して）第１のＣＦＩ値を使用し得、第２の構成に対して（例えば、第２の構成を使用する通信に対して）第２のＣＦＩ値を使用し得る。
【００７９】
[0086]  このようにして、（例えば、より信頼性があり得る）非ＰＣＦＩＣＨメッセージ中で示される第１のＣＦＩ値は、高信頼性要件、低レイテンシ要件、および／または同様のものを有する構成に使用され得る。逆に、（例えば、より低い信頼性であり得る）ＰＣＦＩＣＨメッセージ中で示される第２のＣＦＩ値は、高信頼性要件、低レイテンシ要件、および／または同様のものを有さない構成に使用され得る。
【００８０】
[0087]  いくつかの態様では、ＵＥ１２０が、第２の構成を使用せずに第１の構成を使用して動作している場合、ＵＥ１２０がＰＣＦＩＣＨの復号を防止し得る。この場合、第２の構成が使用されていないため、ＵＥ１２０は、第２のＣＦＩ値を使用する必要がなく、ゆえに、ＰＣＦＩＣＨが復号されることを防止することによってリソースを節約できる。逆に、ＵＥ１２０が第２の構成を使用して（例えば、第１の構成を使用せずに第２の構成を使用してまたは第２の構成および第１の構成の両方を使用して）動作している場合、ＵＥ１２０は、（例えば、ＵＥ１２０が第２の構成を使用して動作するために第２のＣＦＩ値を必要とし得るため）ＰＣＦＩＣＨを復号し得る。
【００８１】
[0088]  いくつかの態様では、第２のＣＦＩ値が第１のＣＦＩ値より大きい場合、ＵＥ１２０が、（例えば、サブフレームの第２および／または第３のシンボル中の）制御情報をデータとして誤って解釈し得るため、第２のＣＦＩ値は、第１のＣＦＩ値以下であることが必要とされる（例えば、第２のＣＦＩ値は、第１のＣＦＩ値によって上限が定められ得る）。例えば、第１のＣＦＩ値が１である場合、これは、サブフレームの第１のシンボルが制御情報を含むことと、第２および第３のシンボルがＵＲＬＬＣデータのようなデータを含むこととを示し得る。しかしながら、第２のＣＦＩ値が３である場合、これは、サブフレームの最初の３つのシンボルが制御情報を含むことを示し得る。ゆえに、このシナリオにおいて、ＵＥ１２０は、第２および第３のシンボル中の情報が制御情報であったとしても、第２および第３のシンボル中の情報をデータとして誤って解釈し得る。この場合、ＵＥ１２０は、ＵＥ１２０が（例えば、非ＰＣＦＩＣＨメッセージ中で示される）第１のＣＦＩ値より大きい（例えば、ＰＣＦＩＣＨ中で示される）第２のＣＦＩ値を受信した場合にエラーを示すように構成され得る。
【００８２】
[0089]  いくつかの態様では、第１のＣＦＩ値が３である場合、第２のＣＦＩ値が１または３であり得る。この場合、図５に関して上で説明したように、３のＣＦＩ値は、サブフレームの第１のｓＴＴＩ（例えば、ｓＴＴＩ０）が３つのシンボルを含むことを示すのに対して、２のＣＦＩ値は、サブフレームの第１のｓＴＴＩが２つのシンボルを含むことを示すため、第２のＣＦＩ値は２でないであろう。いくつかの態様では、第１のＣＦＩ値が２である場合、第２のＣＦＩ値は、２であり得る（例えば、第１のＣＦＩ値と第２のＣＦＩ値とは同じであることが必要とされ得る）。この場合、図５に関して上で説明したように、２のＣＦＩ値は、サブフレームの第１のｓＴＴＩが２つのシンボルを含むことを示すのに対して、１のＣＦＩ値は、サブフレームの第１のｓＴＴＩが３つのシンボルを含むことを示すため、第２のＣＦＩ値は１でないであろう。いくつかの態様では、第１のＣＦＩ値が１である場合、第２のＣＦＩ値が１であり得る（例えば、第１のＣＦＩ値と第２のＣＦＩ値とは同じであることが必要とされ得る）。このようにして、上で説明したように、エラーが低減され得る。
【００８３】
[0090]  いくつかの態様において、本明細書で説明される１つまたは複数の技法は、ＵＥ１２０が（例えば、キャリアアグリゲーション、デュアル接続性、および／または同様のものに対して）複数のコンポーネントキャリアを使用するように構成されるシナリオで使用され得る。いくつかの態様において、ＵＥ１２０のコンポーネントキャリアの全ては、例えば、コンポーネントキャリアの全てが、（例えば、グループ中の全てのコンポーネントキャリアをバインドするグループバインド構成であり得る）第１の構成を有するとき、非ＰＣＦＩＣＨメッセージ中で示される１つまたは複数のＣＦＩ値を使用して構成され得る。この場合、いくつかの態様において、ＵＥ１２０のコンポーネントキャリアの全ては、シグナリングを簡略化し、オーバーヘッドを低減するために、非ＰＣＦＩＣＨメッセージに含まれる同じＣＦＩ値（例えば、第１のＣＦＩ値）を使用して構成され得る。代替的に、いくつかの態様において、ＵＥ１２０の異なるコンポーネントキャリアは、柔軟性を高めるために、非ＰＣＦＩＣＨメッセージ中で示される異なるＣＦＩ値を使用して構成され得る。この場合、非ＰＣＦＩＣＨメッセージは、複数のＣＦＩ値を含み得、異なるＣＦＩ値は、ＵＥ１２０の異なるコンポーネントキャリアに対応し得る。
【００８４】
[0091]  代替的に、ＵＥ１２０のコンポーネントキャリアの全ては、例えば、コンポーネントキャリアの全てが、（例えば、グループ中の全てのコンポーネントキャリアをバインドするグループバインド構成であり得る）第２の構成を有するとき、ＰＣＦＩＣＨ中で示される１つまたは複数のＣＦＩ値を使用して構成され得る（そして、例えば、コンポーネントキャリアはいずれも、非ＰＣＦＩＣＨメッセージ中で示される１つまたは複数のＣＦＩ値を使用して構成されないであろう）。この場合、いくつかの態様において、ＰＣＦＩＣＨ中で示される単一のＣＦＩ値がオーバーヘッドを低減するために全ての（または複数の）コンポーネントキャリアに使用され得る。代替的に、いくつかの態様において、基地局１１０は、ＰＣＦＩＣＨ中で異なるＣＦＩ値を示し得、異なるＣＦＩ値は、異なるコンポーネントキャリアに対応し得、それによって柔軟性を高める。
【００８５】
[0092]  いくつかの態様では、ＵＥ１２０のコンポーネントキャリアの第１のセットが、（例えば、上で説明したように）第１の構成を使用して動作し得、ＵＥ１２０のコンポーネントキャリアの第２のセットが、（例えば、上で説明したように）第２の構成を使用して動作し得る。この場合、ＵＥ１２０は、非ＰＣＦＩＣＨメッセージ中で示される（例えば、１つまたは複数の）ＣＦＩ値の第１のセットをコンポーネントキャリアの第１のセットに使用し得、ＰＣＦＩＣＨ中で示される（例えば、１つまたは複数の）ＣＦＩ値の第２のセットをコンポーネントキャリアの第２のセットに使用し得る。上で説明したのと同様の方法で、ＵＥ１２０は、第１のセット中の全てのコンポーネントキャリアに対して単一のＣＦＩ値を使用し得るか、または第１のセット中の異なるコンポーネントキャリアに対して異なるＣＦＩ値を使用し得る。同様に、ＵＥ１２０は、第２のセット中の全てのコンポーネントキャリアに対して単一のＣＦＩ値を使用し得るか、または第２のセット中の異なるコンポーネントキャリアに対して異なるＣＦＩ値を使用し得る。このようにして、異なるコンポーネントキャリアにわたる柔軟性が高められ得る。
【００８６】
[0093]  いくつかの態様において、ＵＥ１２０のセカンダリセル（例えば、ＳＣｅｌｌ）は、セカンダリセルが第２の構成を使用して動作する場合であっても、非ＰＣＦＩＣＨメッセージ（例えば、ＲＲＣメッセージ）中で示されるＣＦＩ値で構成され得る。この場合、ＵＥ１２０は、セカンダリセルが第１の構成を使用して動作するときに使用されることとなる、非ＰＣＦＩＣＨメッセージ）中で示される別のＣＦＩ値で構成されることが必要とされ得る。ゆえに、非ＰＣＦＩＣＨメッセージは、セカンダリセルの第１の構成のためのＣＦＩ値とセカンダリセルの第２の構成のためのＣＦＩ値とを示し得るか、またはセカンダリセルの第２の構成のためのＣＦＩ値を示さずに、セカンダリセルの第１の構成のためのＣＦＩ値を示し得るが、セカンダリセルの第１の構成のためのＣＦＩ値を示さずに、セカンダリセルの第２の構成のためのＣＦＩ値を示すことはないであろう。この場合、ＰＣＦＩＣＨの復号は、セカンダリセルが非ＰＣＦＩＣＨメッセージを介して第２の構成のためのＣＦＩ値で構成される場合、完全に回避され得、それによって、ＵＥ１２０のリソースを節約する。
【００８７】
[0094]  ＵＥ１２０が、第１の構成を使用する動作（例えば、ＵＲＬＬＣ動作、ｓＴＴＩ構成、および／または同様のもの）に対して非ＰＣＦＩＣＨメッセージ中の第１のＣＦＩ値を使用するように、および／または第２の構成を使用する動作（例えば、ｅＭＢＢ動作、レガシＴＴＩ動作、および／または同様のもの）に対してＰＣＦＩＣＨ中の第２のＣＦＩ値を使用するように柔軟に構成されることを可能にすることによって、ＵＥ１２０は、様々な構成を使用して動作すること、および／または異なる構成の多種多様な要件を満たすことを可能にされ得る。さらに、これら技法は、制御情報および／またはデータのスケジューリングの柔軟性を高め得、ＵＥ１２０の全ての構成に対して同じＣＦＩ値を使用するのとは対照的に、無駄なリソースをより少なくし得る。
【００８８】
[0095]  上で示したように、図７は、一例として提供されている。他の例は、図７に関して説明されるものとは異なり得る。
【００８９】
[0096]  図８は、本開示の様々な態様による、ＣＦＩ値の信頼できるインジケーションの別の例８００を例示する図である。
【００９０】
[0097]  参照番号８１０によって示されるように、基地局１１０は、第１のＣＦＩ値が適用されることとなるサブフレームの第１のセットと、第２のＣＦＩ値が適用されることとなるサブフレームの第２のセットとのインジケーションを含む非ＰＣＦＩＣＨメッセージを送信し得、ＵＥ１２０は、それを受信し得る。本明細書の他の箇所で説明されるように、非ＰＣＦＩＣＨメッセージは、ＲＲＣメッセージ、ＳＩＢメッセージ、および／または同様のものを含み得る。
【００９１】
[0098]  いくつかの態様において、サブフレームの第１のセットは、第１のタイプのサブフレームだけを含み得、サブフレームの第２のセットは、第２のタイプのサブフレームだけを含み得る。いくつかの態様において、第１のタイプおよび／または第２のタイプは、非ＰＣＦＩＣＨメッセージ中で示され得る。例えば、第１のタイプは、マルチキャストブロードキャスト単一周波数ネットワーク（ＭＢＳＦＮ）サブフレームタイプであり得る。追加的または代替的に、第２のタイプは、非ＭＢＳＦＮサブフレームタイプであり得る。いくつかの態様では、ＭＢＳＦＮサブフレームが、ダウンリンク制御情報に対して最大で２つのシンボル（例えば、ＰＤＣＣＨシンボル）を使用し得、ゆえに、他のタイプのサブフレームと区別され得る。
【００９２】
[0099]  いくつかの態様において、第１のＣＦＩ値および／または第２のＣＦＩ値は、非ＰＣＦＩＣＨメッセージ中で示され得る。例えば、非ＰＣＦＩＣＨメッセージは、第１のＣＦＩ値と、この第１のＣＦＩ値が適用されることとなるサブフレームの対応する第１のセットとを示し得る。同様に、非ＰＣＦＩＣＨメッセージは、第２のＣＦＩ値と、この第２のＣＦＩ値が適用されることとなるサブフレームの対応する第２のセットとを示し得る。いくつかの態様において、非ＰＣＦＩＣＨメッセージは、オーバーヘッドを低減するために（例えば、３つの可能なＣＦＩ値のうちの２つを示すために）単一のビットを使用して特定のＣＦＩ値を示し得る。いくつかの態様において、非ＰＣＦＩＣＨメッセージは、ＣＦＩインジケーションに完全な柔軟性を与えるために、（例えば、３つ全ての可能なＣＦＩ値を示すために）２ビットを使用して特定のＣＦＩ値を示し得る。
【００９３】
[00100]  代替的に、第１のＣＦＩ値および／または第２のＣＦＩ値は、非ＰＣＦＩＣＨメッセージ中で示されない可能性がある。この場合、第１のＣＦＩ値および／または第２のＣＦＩ値は、（例えば、３ＧＰＰ規格で示されている固定の第１のＣＦＩ値および／または固定の第２のＣＦＩ値に従って）ＵＥ１２０のメモリにおいてハードコーディングされ得る。例えば、第１のＣＦＩ値および第２のＣＦＩ値は、３ＧＰＰ仕様に従って固定され得、非ＰＣＦＩＣＨメッセージは、第１の固定ＣＦＩ値が適用されることとなるサブフレームの第１のセットと、第２の固定ＣＦＩ値が適用されることとなるサブフレームの第２のセットとを示し得る。別の例として、ＣＦＩ値のうちの１つ（例えば、第１のＣＦＩ値）は、３ＧＰＰ仕様に従って固定され得、別のＣＦＩ値（例えば、第２のＣＦＩ値）は、非ＰＣＦＩＣＨメッセージ中で示され得る。例えば、ＭＢＳＦＮサブフレームに適用されるＣＦＩ値は、３ＧＰＰ仕様に従って（例えば、２のＣＦＩ値に）固定され得、非ＭＢＳＦＮサブフレームに適用されるＣＦＩ値は、非ＰＣＦＩＣＨメッセージ中で示され得る。
【００９４】
[00101]  いくつかの態様において、サブフレームの第１のセットおよびサブフレームの第２のセットに適用されるＣＦＩ値は、ビットマップを使用して示され得る。例えば、ビットマップ中の各ビットは、時間ウィンドウ内のサブフレームに対応し得る（例えば、時間ウィンドウ中の４０個のサブフレームに対して４０ビット、時間ウィンドウ中の１０個のサブフレームに対して１０ビット、および／または以下同様である）。この場合、ビットの第１の値（例えば、０）は、第１のＣＦＩ値が、このビットに対応するサブフレームに適用されることとなることを示し得、ビットの第２の値（例えば１）は、第２のＣＦＩ値が、このビットに対応するサブフレームに適用されることとなることを示し得る。いくつかの態様において、ビットマップは、異なるタイプのサブフレームに対して異なる長さであり得る（例えば、より少ないＣＦＩオプションを有するＭＢＳＦＮサブフレームに対しては、４０ビットなどのより長いビットマップ、およびより多くのＣＦＩオプションを有する非ＭＢＳＦＮサブフレームに対しては、１０ビットなどのより小さいビットマップ）。ビットマップのための時間ウィンドウは、例えば、１つのＴＴＩ（例えば、フレーム）、複数のＴＴＩ、および／または同様のものに対応し得る。いくつかの態様において、ビットマップによって示されるパターンは、連続する時間ウィンドウの間、繰り返し得る。追加的または代替的に、基地局１１０は、ビットマップを使用して新しいパターンを周期的に示し得る。いくつかの態様では、複数のパターンが事前構成され得、非ＰＣＦＩＣＨメッセージ中の、パターンにマッピングするインデックス値を使用して示され得る。
【００９５】
[00102]  いくつかの態様において、非ＰＣＦＩＣＨメッセージは、サブフレームの第１のセットにマッピングするＣＦＩ値の第１のセット、および／またはサブフレームの第２のセットにマッピングするＣＦＩ値の第２のセットを示し得る。いくつかの態様では、各値が、全種類（full range）のＣＦＩ値（例えば、１、２、または３）のインジケーションを可能にするために、２ビットを使用して示され得る。この場合、ＣＦＩ値をサブフレームにマッピングするために、２ビットを１つのサブフレームにマッピングするビットマップが使用され得る。ビットマップに関して上で説明した態様は、このインジケーション技法（例えば、異なるタイプのサブフレームに対する異なる長さのビットマップ、ビットマップのための時間ウィンドウ、連続する時間ウィンドウの間ビットマップ中で示されるパターンを繰り返すこと、事前構成されたビットマップパターンを示すためにインデックス値を使用すること、および／または同様のもの）に適用され得る。
【００９６】
[00103]  いくつかの態様において、非ＰＣＦＩＣＨメッセージは、第１のＣＦＩ値および第２のＣＦＩ値を示す情報エレメントを含み得、第１のＣＦＩ値または第２のＣＦＩ値のいずれかをサブフレームの第１のセットにマッピングする第１のビットマップを含み得、第１のＣＦＩ値または第２のＣＦＩ値のいずれかをサブフレームの第２のセットにマッピングする第２のビットマップを含み得る。いくつかの態様では、ビットマップ中の各ビットが、単一のサブフレームに対応し得る。このようにして、各サブフレームに２ビットをマッピングすることと比較して、ＣＦＩインジケーションおよびサブフレームフォーマットにおけるいくらかの柔軟性が、オーバーヘッドを節約もしつつ、達成され得る。
【００９７】
[00104]  参照番号８２０によって示されるように、ＵＥ１２０は、ＵＥ１２０が動作しているサブフレームがサブフレームの第１のセットに含まれるかサブフレームの第２のセットに含まれるかを決定し得る。サブフレームは、例えば、ＵＥ１２０が、サブフレームのフォーマットを決定するために（例えば、サブフレーム中で受信された信号を処理する前に、信号を制御情報として解釈すべきかデータとして解釈すべきかを決定するために、および／または同様のことを行うために）、ＣＦＩ値を使用する必要があるサブフレームであり得る。
【００９８】
[00105]  参照番号８３０によって示されるように、ＵＥ１２０は、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用し得る。例えば、サブフレームが第１のセットに含まれる場合、ＵＥ１２０は、非ＰＣＦＩＣＨメッセージからの第１のＣＦＩ値をサブフレームに適用し得る。同様に、サブフレームが第２のセットに含まれる場合、ＵＥ１２０は、非ＰＣＦＩＣＨメッセージからの第２のＣＦＩ値をサブフレームに適用し得る。
【００９９】
[00106]  いくつかの態様において、ＵＥ１２０は、図７に関して上で説明したのと同様の方法で、ＵＥ１２０が第１の構成（例えば、非ＰＣＦＩＣＨメッセージ中で示されるＣＦＩ値が使用されることとなる構成）を使用して動作しているという決定に少なくとも部分的に基づいて、サブフレームに対して第１のＣＦＩ値または第２のＣＦＩ値を使用し得る。同様に、ＵＥ１２０は、図７に関して上で説明したのと同様の方法で、ＵＥ１２０が第２の構成（例えば、ＰＣＦＩＣＨ中で示されるＣＦＩ値が使用されることとなる構成）を使用して動作していないという決定に少なくとも部分的に基づいて、サブフレームに対して第１のＣＦＩ値または第２のＣＦＩ値を使用し得る。
【０１００】
[00107]  いくつかの態様では、ＵＥ１２０が（例えば、キャリアアグリゲーション、デュアル接続性、および／または同様のものに対して）複数のコンポーネントキャリアを使用するように構成されるシナリオで本明細書で説明される１つまたは複数の技法が使用され得る。この場合、非ＰＣＦＩＣＨメッセージ中で示されるサブフレームの第１のセットおよびサブフレームの第２のセットは、ＵＥ１２０の全てのコンポーネントキャリアに適用され得る。例えば、非ＰＣＦＩＣＨメッセージは、サブフレームの単一の第１のセットとサブフレームの単一の第２のセットとを示し得、サブフレームのそれらのセットへのＣＦＩ値の示されたマッピングは、ＵＥ１２０の全てのコンポーネントキャリアに適用され得る。このようにして、シグナリングオーバーヘッドが低減され得る。
【０１０１】
[00108]  代替的に、非ＰＣＦＩＣＨメッセージ中で示されるサブフレームの異なるセットが、ＵＥ１２０の異なるコンポーネントキャリアに適用され得る。例えば、非ＰＣＦＩＣＨメッセージは、サブフレームの複数の第１のセットとサブフレームの複数の第２のセットとを示し得、異なるセットへのＣＦＩ値の異なるマッピングは、異なるコンポーネントキャリアに適用され得る。例えば、サブフレームの第１のセットおよびサブフレームの第２のセットへのＣＦＩ値のマッピングは、ＵＥ１２０の第１のコンポーネントキャリアに適用され得、（例えば、非ＰＣＦＩＣＨメッセージ中で示される）サブフレームの第３のセットおよびサブフレームの第４のセットへのＣＦＩ値のマッピングは、ＵＥ１２０の第２のコンポーネントキャリアに適用され得、および／または以下同様である。追加的または代替的に、サブフレームの特定のセットは、ＵＥ１２０の１つよりは多いが全てよりは少ないコンポーネントキャリアに適用され得る。いくつかの態様では、そのような適用が、非ＰＣＦＩＣＨメッセージ中で示され得る。このようにして、ＰＣＦＩＣＨインジケーションおよびサブフレームフォーマットにおける柔軟性が高められ得る。
【０１０２】
[00109]  サブフレームの第１のセットおよびサブフレームの第２のセットは、本明細書において、一例として説明されている。いくつかの態様において、非ＰＣＦＩＣＨメッセージは、サブフレームの３つのセット、サブフレームの４つのセット、および／または同様のもののような、サブフレームの２つより多くのセットを示し得る。このようにして、ＰＣＦＩＣＨインジケーションおよびサブフレームフォーマットにおける柔軟性が高められ得る。
【０１０３】
[00110]  上で示したように、図８は、一例として提供されている。他の例は、図８に関して説明されるものとは異なり得る。
【０１０４】
[00111]  図９は、本開示の様々な態様による、例えば、ＵＥによって行われる例となるプロセス９００を例示する図である。例となるプロセス９００は、ＵＥ（例えば、ＵＥ１２０および／または同様のもの）が、ＣＦＩ値の信頼できるインジケーションまたは受信に関連する動作を行う例である。
【０１０５】
[00112]  図９に示されるように、いくつかの態様において、プロセス９００は、無線リソース制御（ＲＲＣ）メッセージまたはシステム情報ブロック（ＳＩＢ）中で制御フォーマットインジケータ（ＣＦＩ）値を受信すること（ブロック９１０）を含み得る。例えば、ＵＥは（例えば、アンテナ２５２、ＤＥＭＯＤ２５４、ＭＩＭＯ検出器２５６、受信プロセッサ２５８、コントローラ／プロセッサ２８０、および／または同様のものを使用して）、図６に関して上で説明したように、ＲＲＣメッセージまたはＳＩＢ中でＣＦＩ値を受信し得る。
【０１０６】
[00113]  図９にさらに示されるように、いくつかの態様において、プロセス９００は、ＵＥが動作している構成にかかわらず、ＲＲＣメッセージまたはＳＩＢ中で受信されたＣＦＩ値を使用すること（ブロック９２０）を含み得る。例えば、ＵＥは（例えば、コントローラ／プロセッサ２８０および／または同様のものを使用して）、図６に関して上で説明したように、ＵＥが動作している構成にかかわらず、ＲＲＣメッセージまたはＳＩＢ中で受信されたＣＦＩ値を使用し得る。
【０１０７】
[00114]  プロセス９００は、本明細書の他の箇所で説明される１つまたは複数の他のプロセスに関しておよび／または以下で説明される任意の単一の態様または複数の態様の任意の組合せのような追加の態様を含み得る。
【０１０８】
[00115]  第１の態様では、ＵＥが、超高信頼低レイテンシ通信（ＵＲＬＬＣ）構成または短縮送信時間インターバル（ｓＴＴＩ）構成で構成されていることに少なくとも部分的に基づいて、ＲＲＣメッセージまたはＳＩＢ中でＣＦＩ値を受信する。第２の態様では、単独または第１の態様との組み合わせで、物理制御フォーマットインジケータチャネル（ＰＣＦＩＣＨ）がＲＲＣメッセージまたはＳＩＢ中でＣＦＩ値を受信することに少なくとも部分的に基づいて復号されない。第３の態様では、単独または第１および第２の態様のうちの１つもしくは複数との組み合わせで、ＲＲＣメッセージまたはＳＩＢ中で受信されたＣＦＩ値が、超高信頼低レイテンシ通信（ＵＲＬＬＣ）構成、拡張モバイルブロードバンド（ｅＭＢＢ）構成、レガシ送信時間インターバル（ＴＴＩ）構成、短縮ＴＴＩ（ｓＴＴＩ）構成、しきい値を満たすレイテンシ要件を有する構成、しきい値を満たす信頼性要件を有する構成、キャリアアグリゲーション構成、デュアル接続性構成、またはこれらの何らかの組合せのうちの少なくとも１つに使用される。
【０１０９】
[00116]  図９は、プロセス９００の例となるブロックを示すが、いくつかの態様において、プロセス９００は、追加のブロック、より少ないブロック、異なるブロック、または図９に示されるものとは異なる配置のブロックを含み得る。追加的または代替的に、プロセス９００のブロックのうちの２つ以上は、並行して行われ得る。
【０１１０】
[00117]  図１０は、本開示の様々な態様による、例えば、ＵＥによって行われる例となるプロセス１０００を例示する図である。例となるプロセス１０００は、ＵＥ（例えば、ＵＥ１２０および／または同様のもの）が、ＣＦＩ値の信頼できるインジケーションまたは受信に関連する動作を行う例である。
【０１１１】
[00118]  図１０に示されるように、いくつかの態様において、プロセス１０００は、ＰＣＦＩＣＨを介して搬送されないメッセージ中で第１のＣＦＩ値を受信すること（ブロック１０１０）を含み得る。例えば、ＵＥは（例えば、アンテナ２５２、ＤＥＭＯＤ２５４、ＭＩＭＯ検出器２５６、受信プロセッサ２５８、コントローラ／プロセッサ２８０、および／または同様のものを使用して）、図７に関して上で説明したように、ＰＣＦＩＣＨを介して搬送されないメッセージ中で第１のＣＦＩ値を受信し得る。
【０１１２】
[00119]  図１０にさらに示されるように、いくつかの態様において、プロセス１０００は、ＵＥが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定すること（ブロック１０２０）を含み得る。例えば、ＵＥは（例えば、コントローラ／プロセッサ２８０および／または同様のものを使用して）、図７に関して上で説明したように、ＵＥが、第１のＣＦＩ値が使用されることとなる第１の構成を使用して動作しているか、ＰＣＦＩＣＨ中で示される第２のＣＦＩ値が使用されることとなる第２の構成を使用して動作しているか、両方を使用して動作しているかを決定し得る。
【０１１３】
[00120]  図１０にさらに示されるように、いくつかの態様において、プロセス１０００は、ＵＥが、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作すること（ブロック１０３０）を含み得る。例えば、ＵＥは（例えば、コントローラ／プロセッサ２８０および／または同様のものを使用して）、図７に関して上で説明したように、ＵＥが、第１の構成を使用して動作しているか、第２の構成を使用して動作しているか、両方を使用して動作しているかを決定することに少なくとも部分的に基づいて、第１のＣＦＩ値または第２のＣＦＩ値のうちの少なくとも１つを使用して動作し得る。
【０１１４】
[00121]  プロセス１０００は、本明細書の他の箇所で説明される１つまたは複数の他のプロセスに関しておよび／または以下で説明される任意の単一の態様または複数の態様の任意の組合せのような追加の態様を含み得る。
【０１１５】
[00122]  第１の態様では、ＵＥが第１の構成を使用して動作しているときに第１のＣＦＩ値が使用されるか、またはＵＥが第２の構成を使用して動作しているときに第２のＣＦＩ値が使用される。第２の態様では、単独または第１の態様との組み合わせで、第１の構成が、超高信頼低レイテンシ通信（ＵＲＬＬＣ）構成、短縮ＴＴＩ（ｓＴＴＩ）構成、しきい値以下のレイテンシ要件を有する構成、しきい値以上の信頼性要件を有する構成、またはこれらの何らかの組合せのうちの少なくとも１つを含む。第３の態様では、単独または第１および第２の態様のうちの１つもしくは複数との組み合わせで、第２の構成が、拡張モバイルブロードバンド（ｅＭＢＢ）構成、レガシ送信時間インターバル（ＴＴＩ）構成、しきい値以上のレイテンシ要件を有する構成、しきい値以下の信頼性要件を有する構成、またはこれらの何らかの組合せのうちの少なくとも１つを含む。
【０１１６】
[00123]  第４の態様では、単独または第１から第３の態様のうちの１つもしくは複数との組み合わせで、ＵＥが第２の構成を使用せずに第１の構成を使用して動作していると決定することに少なくとも部分的に基づいて、ＰＣＦＩＣＨが復号されない。第５の態様では、単独または第１から第４の態様のうちの１つもしくは複数との組み合わせで、ＵＥが、第１の構成を使用せずに第２の構成を使用してまたは第１の構成および第２の構成の両方を使用して動作していると決定することに少なくとも部分的に基づいてＰＣＦＩＣＨが復号される。第６の態様では、単独または第１から第５の態様のうちの１つもしくは複数との組み合わせで、第１のＣＦＩ値が、第１の構成を使用して通信するために使用され、第２のＣＦＩ値が、第２の構成を使用して通信するために使用される。
【０１１７】
[00124]  第７の態様では、単独または第１から第６の態様のうちの１つもしくは複数との組み合わせで、第２のＣＦＩ値が、第１のＣＦＩ値以下であることが必要とされる。第８の態様では、単独または第１から第７の態様のうちの１つもしくは複数との組み合わせで、第２のＣＦＩ値が第１のＣＦＩ値より大きい場合、エラーを示すようにＵＥが構成される。第９の態様では、単独または第１から第８の態様のうちの１つもしくは複数との組み合わせで、第１のＣＦＩ値が、メッセージ中で示される複数のＣＦＩ値から選択される。第１０の態様では、単独または第１から第９の態様のうちの１つもしくは複数との組み合わせで、第１のＣＦＩ値が適用されることとなるサブフレームにおいてＵＥが動作しているという決定に少なくとも部分的にこの選択が基づく。第１１の態様では、単独または第１から第１０の態様のうちの１つもしくは複数との組み合わせで、第１のＣＦＩ値が適用されることとなる、メッセージ中で示されるサブフレームのセットにこのサブフレームが含まれる。
【０１１８】
[00125]  第１２の態様では、単独または第１から第１１の態様のうちの１つもしくは複数との組み合わせで、第１の構成は、ＵＥの全てのコンポーネントキャリアがメッセージ中で示される１つまたは複数のＣＦＩ値を使用して構成される構成である。第１３の態様では、単独または第１から第１２の態様のうちの１つもしくは複数との組み合わせで、コンポーネントキャリアの全てがメッセージ中で示される同じＣＦＩ値を使用して構成される。第１４の態様では、単独または第１から第１３の態様のうちの１つもしくは複数との組み合わせで、コンポーネントキャリアのうちの異なるものが、メッセージ中で示される異なるＣＦＩ値を使用して構成される。
【０１１９】
[00126]  第１５の態様では、単独または第１から第１４の態様のうちの１つもしくは複数との組み合わせで、第２の構成は、ＵＥのコンポーネントキャリアがメッセージ中で示されるＣＦＩ値を使用して構成されない構成である。第１６の態様では、単独または第１から第１５の態様のうちの１つもしくは複数との組み合わせで、第２の構成は、ＵＥの全てのコンポーネントキャリアがＰＣＦＩＣＨ中で示される１つまたは複数のＣＦＩ値を使用して構成される構成である。
【０１２０】
[00127]  第１７の態様では、単独または第１から第１６の態様のうちの１つもしくは複数との組み合わせで、ＵＥのコンポーネントキャリアの第１のセットが、第１の構成を使用して動作し、ＵＥのコンポーネントキャリアの第２のセットが、第２の構成を使用して動作する。第１８の態様では、単独または第１から第１７の態様のうちの１つもしくは複数と組み合わせで、コンポーネントキャリアの第１のセットが、第１のＣＦＩ値を使用し、コンポーネントキャリアの第２のセットが、第２のＣＦＩ値を使用する。第１９の態様では、単独または第１から第１８の態様のうちの１つもしくは複数との組み合わせで、コンポーネントキャリアの第１のセットが、メッセージ中で示されるＣＦＩ値の第１のセットを使用する。第２０の態様では、単独または第１から第１９の態様のうちの１つもしくは複数との組み合わせで、コンポーネントキャリアの第２のセットが、ＰＣＦＩＣＨ中で示されるＣＦＩ値の第２のセットを使用する。
【０１２１】
[00128]  第２１の態様では、単独または第１から第２０の態様のうちの１つもしくは複数との組み合わせで、第１のＣＦＩ値が、ＵＥの第１のコンポーネントキャリアに使用され、メッセージ中で示される１つまたは複数の他のＣＦＩ値が、ＵＥの対応する１つまたは複数の他のコンポーネントキャリアに使用される。第２２の態様では、単独または第１から第２１の態様のうちの１つもしくは複数と組み合わせで、セカンダリセルが第２の構成を使用して動作しているときに、ＵＥがセカンダリセルについてメッセージ中のＣＦＩ値で構成される場合、ＵＥは、セカンダリセルが第１の構成を使用して動作しているときに、セカンダリセルについてメッセージ中のＣＦＩで構成されることが必要とされる。第２３の態様では、単独または第１から第２２の態様のうちの１つもしくは複数と組み合わせで、メッセージは、無線リソース制御（ＲＲＣ）メッセージ、またはシステム情報ブロック（ＳＩＢ）において搬送されるシステム情報メッセージである。
【０１２２】
[00129]  図１０は、プロセス１０００の例となるブロックを示すが、いくつかの態様において、プロセス１０００は、追加のブロック、より少ないブロック、異なるブロック、または図１０に示されるものとは異なる配置のブロックを含み得る。追加的または代替的に、プロセス１０００のブロックのうちの２つ以上は、並行して行われ得る。
【０１２３】
[00130]  図１１は、本開示の様々な態様による、例えば、ＵＥによって行われる例となるプロセス１１００を例示する図である。例となるプロセス１１００は、ＵＥ（例えば、ＵＥ１２０および／または同様のもの）が、ＣＦＩ値の信頼できるインジケーションまたは受信に関連する動作を行う例である。
【０１２４】
[00131]  図１１に示されるように、いくつかの態様において、プロセス１１００は、第１のＣＦＩ値が適用されることとなるサブフレームの第１のセットのインジケーションをメッセージ中で受信することを（ブロック１１１０）含み得る。例えば、ＵＥは（例えば、アンテナ２５２、ＤＥＭＯＤ２５４、ＭＩＭＯ検出器２５６、受信プロセッサ２５８、コントローラ／プロセッサ２８０、および／または同様のものを使用して）、図８に関して上で説明したように、第１のＣＦＩ値が適用されることとなるサブフレームの第１のセットのインジケーションをメッセージ中で受信し得る。
【０１２５】
[00132]  図１１にさらに示されるように、いくつかの態様において、プロセス１１００は、第２のＣＦＩ値が適用されることとなるサブフレームの第２のセットのインジケーションをメッセージ中で受信すること（ブロック１１２０）を含み得る。例えば、ＵＥは（例えば、アンテナ２５２、ＤＥＭＯＤ２５４、ＭＩＭＯ検出器２５６、受信プロセッサ２５８、コントローラ／プロセッサ２８０、および／または同様のものを使用して）、図８に関して上で説明したように、第２のＣＦＩ値が適用されることとなるサブフレームの第２のセットのインジケーションをメッセージ中で受信し得る。
【０１２６】
[00133]  図１１にさらに示されるように、いくつかの態様において、プロセス１１００は、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用すること（ブロック１１３０）を含み得る。例えば、ＵＥは（例えば、コントローラ／プロセッサ２８０および／または同様のものを使用して）、図８に関して上で説明したように、サブフレームが、サブフレームの第１のセットに含まれるかサブフレームの第２のセットに含まれるかに少なくとも部分的に基づいて、サブフレームに対して第１のＣＦＩ値または第２のＣＦＩ値を選択的に使用し得る。
【０１２７】
[00134]  プロセス１１００は、本明細書の他の箇所で説明される１つまたは複数の他のプロセスに関しておよび／または以下で説明される任意の単一の態様または複数の態様の任意の組合せのような追加の態様を含み得る。
【０１２８】
[00135]  第１の態様では、サブフレームの第１のセットが、第１のタイプのサブフレームを含み、サブフレームの第２のセットが、第２のタイプのサブフレームを含む。第２の態様では、単独または第１の態様との組み合わせで、第１のタイプまたは第２のタイプのうちの少なくとも１つが、メッセージ中で示される。第３の態様では、単独または第１および第２の態様のうちの１つもしくは複数との組み合わせで、第１のタイプが、マルチキャストブロードキャスト単一周波数ネットワーク（ＭＢＳＦＮ）サブフレームタイプであり、第２のタイプが非ＭＢＳＦＮサブフレームタイプである。
【０１２９】
[00136]  第４の態様では、単独または第１から第３の態様のうちの１つもしくは複数との組み合わせで、第１のＣＦＩ値または第２のＣＦＩ値のうちの少なくとも１つが、メッセージ中で示される。第５の態様では、単独または第１から第４の態様のうちの１つもしくは複数との組み合わせで、第１のＣＦＩ値または第２のＣＦＩ値のうちの少なくとも１つが、メッセージ中で示されない。第６の態様では、単独または第１から第５の態様のうちの１つもしくは複数と組み合わせで、第１のＣＦＩ値または第２のＣＦＩ値のうちの少なくとも１つが、ＵＥのメモリにおいてハードコーディングされる。
【０１３０】
[00137]  第７の態様では、単独または第１から第６の態様のうちの１つもしくは複数との組み合わせで、サブフレームの第１のセットまたはサブフレームの第２のセットのうちの少なくとも１つが、ビットマップを使用して示される。第８の態様では、単独または第１から第７の態様のうちの１つもしくは複数との組み合わせで、メッセージが、サブフレームの第１のセットにマッピングするＣＦＩ値の第１のセット、サブフレームの第２のセットにマッピングするＣＦＩ値の第２のセット、またはこれらの何らかの組合せのうちの少なくとも１つを示す。第９の態様では、単独または第１から第８の態様のうちの１つもしくは複数との組み合わせで、メッセージが、第１のＣＦＩ値および第２のＣＦＩ値を示す情報エレメントと、サブフレームの第１のセットに含まれる各サブフレームに第１のＣＦＩ値または第２のＣＦＩ値をマッピングする第１のビットマップと、サブフレームの第２のセットに含まれる各サブフレームに第１のＣＦＩ値または第２のＣＦＩ値をマッピングする第２のビットマップとを含む。
【０１３１】
[00138]  第１０の態様では、単独または第１から第９の態様のうちの１つもしくは複数との組み合わせで、メッセージが、無線リソース制御（ＲＲＣ）メッセージまたはシステム情報ブロック（ＳＩＢ）メッセージである。第１１の態様では、単独または第１から第１０の態様のうちの１つもしくは複数との組み合わせで、メッセージ中で受信されたＣＦＩ値が使用されることとなる構成を使用してＵＥが動作しているという決定に少なくとも部分的に基づいて、第１のＣＦＩ値または第２のＣＦＩ値がサブフレームに使用される。第１２の態様では、単独または第１から第１１の態様のうちの１つもしくは複数との組み合わせで、物理制御フォーマットインジケータチャネル（ＰＣＦＩＣＨ）中で受信されたＣＦＩ値が使用されることとなる構成を使用してＵＥが動作していないという決定に少なくとも部分的に基づいて、第１のＣＦＩ値または第２のＣＦＩ値がサブフレームに使用される。
【０１３２】
[00139]  第１３の態様では、単独または第１から第１２の態様のうちの１つもしくは複数との組み合わせで、サブフレームの第１のセットおよびサブフレームの第２のセットが、ＵＥの全てのコンポーネントキャリアに適用される。第１４の態様では、単独または第１から第１３の態様のうちの１つもしくは複数との組み合わせで、サブフレームの第１のセットおよびサブフレームの第２のセットが、ＵＥの第１のコンポーネントキャリアに適用される。第１５の態様では、単独または第１から第１４の態様のうちの１つもしくは複数との組み合わせで、異なるサブフレームセットが、ＵＥの１つまたは複数の他のコンポーネントキャリアに適用される。
【０１３３】
[00140]  図１１は、プロセス１１００の例となるブロックを示すが、いくつかの態様において、プロセス１１００は、追加のブロック、より少ないブロック、異なるブロック、または図１１に示されるものとは異なる配置のブロックを含み得る。追加的または代替的に、プロセス１１００のブロックのうちの２つ以上は、並行して行われ得る。
【０１３４】
[00141]  前述の開示は、例示および説明を提供するが、網羅的であるようにも、態様を開示された通りの形式に限定するようにも意図されていない。修正および変形は、上の開示に照らして行われ得るか、または態様の実践から獲得され得る。
【０１３５】
[00142]  本明細書で使用される場合、構成要素という用語は、ハードウェア、ファームウェア、またはハードウェアとソフトウェアの組合せとして広く解釈されるように意図されている。本明細書で使用される場合、プロセッサは、ハードウェア、ファームウェア、またはハードウェアとソフトウェアの組合せで実施される。
【０１３６】
[00143]  いくつかの態様は、しきい値に関して本明細書で説明される。本明細書で使用される場合、しきい値を満たすことは、値が、しきい値より大きいこと、しきい値以上であること、しきい値未満であること、しきい値以下であること、しきい値に等しいこと、しきい値に等しくないこと、および／または同様のことを指し得る。
【０１３７】
[00144]  本明細書で説明されるシステムおよび／または方法が、異なる形式のハードウェア、ファームウェア、またはハードウェアとソフトウェアの組合せで実施され得ることは明らかになろう。これらシステムおよび／または方法を実施するために使用される実際の専用制御ハードウェアまたはソフトウェアコードは、態様を限定しない。ゆえに、システムおよび／または方法の動作および挙動は、本明細書において、特定のソフトウェアコードを参照することなく説明されており、ソフトウェアおよびハードウェアが、本明細書の説明に少なくとも部分的に基づいて、システムおよび／または方法を実施するように設計され得ることは理解される。
【０１３８】
[00145]  特徴の特定の組合せが、特許請求の範囲に記載されておりおよび／または本明細書に開示されているが、これら組合せは、様々な態様の開示を限定するように意図されていない。実際、これら特徴の多くは、特許請求の範囲に明記されていないおよび／または本明細書に開示されていない方法で組み合わされ得る。以下に列挙される各従属請求項は、１つの請求項だけに直接従属し得るが、様々な態様の開示は、各従属請求項を請求項セット中の全ての他の請求項と組み合わせて含む。項目のリストのうちの「少なくとも１つ（at least one of）」を参照する表現は、単一の要素を含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃに加え、同一の要素を複数有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃまたはａ、ｂ、およびｃの任意の他の順序）をカバーするよう意図されている。
【０１３９】
[00146]  本明細書で使用される要素、行為、または命令は、そのように明記されていない限り、決定的であるとも不可欠であるとも解釈されるべきでない。また、本明細書で使用される場合、冠詞「ａ」および「ａｎ」は、１つまたは複数の項目を含むように意図されており、「１つまたは複数（one or more）」と同義で使用され得る。さらに、本明細書で使用される場合、「セット」および「グループ」という用語は、１つまたは複数の項目（例えば、関連項目、非関連項目、関連項目と非関連項目との組合せ、および／または同様のもの）を含むように意図されており、「１つまたは複数」と同義で使用され得る。１つの項目だけが意図されている場合、「１つだけ（only one）」という用語または同様の言語が使用される。また、本明細書で使用される場合、「有する（has）」、「有する（have）」、「有する（having）」という用語、および／または同様の用語は、オープンエンドの用語であるように意図されている。さらに、「〜に基づいて（based on）」という表現は、別途明記されていない限り、「〜に少なくとも部分的に基づいて（based, at least in part, on）」を意味するように意図されている。
【図１】
2021520717.tif 000003
【図２】
2021520717.tif 000004
【図３Ａ】
2021520717.tif 000005
【図３Ｂ】
2021520717.tif 000006
【図４】
2021520717.tif 000007
【図５】
2021520717.tif 000008
【図６】
2021520717.tif 000009
【図７】
2021520717.tif 000010
【図８】
2021520717.tif 000011
【図９】
2021520717.tif 000012
【図１０】
2021520717.tif 000013
【図１１】
2021520717.tif 000014
【国際調査報告】
2021520717.tif 000015
2021520717.tif 000016
2021520717.tif 000017
2021520717.tif 000018
2021520717.tif 000019